(57)【特許請求の範囲】
【請求項１】
複数のアンテナ間で、共通のサブキャリアに割り当てられている、複数の変調信号が周波数領域に変換された第１のサブキャリア変調信号と、複数の変調信号がパラレル変換された第２のサブキャリア変調信号と、を含む信号を逆フーリエ変換することで形成されたＯＦＤＭ信号を受信する無線受信装置であって、
前記ＯＦＤＭ信号をフーリエ変換することで、前記第１及び第２のサブキャリア変調信号を得るフーリエ変換手段と、
前記第１のサブキャリア変調信号を時間領域に変換し、復調する第１の復調手段と、
前記第２のサブキャリア変調信号をシリアル変換し、復調する第２の復調手段と、
前記第２の復調手段の復調結果の尤度に乗算される重み付け係数を、前記第１の復調手段の復調結果の尤度に乗算される重み付け係数よりも高くして、前記第１及び第２の復調手段の復調結果を誤り訂正復号する復号手段と
を具備する無線受信装置。
【請求項２】
請求項１に記載の無線受信装置は、
パケット単位で自動再送要求の制御を行う無線受信装置であり、
前回までに受信したパケットについての前記第１及び第２の復調手段の復調結果の尤度を保存する記憶手段と、
前記保存された尤度と、再送パケットから新たに得た尤度を合成する合成手段と、
前記合成手段によって合成された尤度を基に、誤り訂正復号を行う復号手段と
をさらに具備する。
【請求項３】
前記合成手段は、前記記憶手段に保存された尤度と、再送によって新たに得た尤度とに、チャネル品質に基づいて異なる重み付けを行う重み付け手段を具備し、
前記復号手段は、前記重み付け手段によって重み付け付けされ合成された尤度を復号する
請求項２に記載の無線受信装置。
【発明の詳細な説明】
【技術分野】
【０００１】
本発明は、階層化変調技術を利用した信号を受信する無線受信装置に関する。
【背景技術】
【０００２】
無線通信における階層化変調は、一般的に、誤り訂正などの符号化と組み合わせることで階層化を達成する方式と、符号化とは別に搬送波に情報信号を物理的に載せる変調によって階層化を達成する方式とがある。
【０００３】
後者の階層化変調方式として、例えば特許文献１で開示されているものがある。特許文献１で開示されている階層化変調方式は、ＯＦＤＭ伝送する帯域を複数の周波数ブロックに分け、それぞれの周波数ブロックを異なる変調方式を用いてキャリア変調し、合成回路を介してＯＦＤＭ変調するものである。
【０００４】
具体的に、特許文献１で開示されているような階層化変調方式を用いた従来の無線送信装置の例を、図５３及び図５４を用いて説明する。図５３に示すように、送信装置１０は、切替器１１と、複数の符号化部１２−１〜１２−３と、複数のキャリア変調部１３−１〜１３−３と、合成回路１４と、ＩＦＦＴ（Inverse Fast Fourier Transform）部１５と、制御情報同期回路１６とを有する。
【０００５】
切替器１１は、送信データを複数の符号化部１２−１〜１２−３のいずれかに送出する。複数の符号化部１２−１〜１２−３は、それぞれ異なる符号化方式（例えば異なる符号化率）を用いて送信データを符号化する。複数のキャリア変調部１３−１〜１３−３は、それぞれ異なる変調方式（例えば異なる変調多値数）を用いて符号化データを変調する。
【０００６】
合成回路１４は、キャリア変調部１３−１〜１３−３の出力であるサブキャリア変調信号Ｓ１、Ｓ２、Ｓ３を、対応する周波数ブロックにそれぞれ割り当てる。ＩＦＦＴ部１５は、合成回路１４の出力及び制御情報同期回路１６の出力をＩＦＦＴすることで、ＯＦＤＭ信号を生成する。制御情報同期回路１６は、周波数ブロック割当情報やパイロット信号を出力する。
【０００７】
図５４に、送信装置１０による周波数ブロック割当のイメージを示す。キャリア変調部１３−１から出力されたサブキャリア変調信号Ｓ１は、複数のサブキャリアからなる周波数ブロックＢＬ１に割り当てられて送信される。同様に、サブキャリア変調信号Ｓ２は、周波数ブロックＢＬ２に割り当てられて送信される。また、サブキャリア変調信号Ｓ３は、周波数ブロックＢＬ３に割り当てられて送信される。
【０００８】
送信装置１０においては、ＯＦＤＭシンボル毎に、周波数ブロックへの変調方式の割り当てを変化させることにより、マルチパス妨害によって伝送帯域内の特定の周波数だけが大きな影響を受けた場合でも、ビット誤り率の劣化を最小限に抑えることができる。
【先行技術文献】
【特許文献】
【０００９】
【特許文献１】特開平７−３２１７６５号公報
【非特許文献】
【００１０】
【非特許文献１】S．B．Weinstein and P．M．Ebert，" Data Transmission by frequency-division multiplexing using the discrete fourier transform，" IEEE Trans． Commun．Technol．，Vol．COM-19，pp．624-634，Oct．1971
【非特許文献２】S. Lin and P. Yu, "A Hybrid ARQ Scheme with Parity Retransmission for Error Control of Satellite Channels," IEEE Trans. Commun., vol. 30, no. 7, pp. 1701-1719, July 1982
【非特許文献３】D. Chase, "Code combining ？ a maximum-likelihood decoding approach for combining an arbitrary number of noisy packets," IEEE Trans. Commun., vol. 33, no. 5, pp. 385-393, May 1985
【非特許文献４】J. Hagenauer, "Rate-compatible punctured convolutional codes (RCPC codes)  and their applications," IEEE Trans. Commun., vol. 36, no.4, pp.389-400, Apr. 1988
【非特許文献５】3GPP TR 25.814 Physical Layer Aspects for Evolved Universal Terrestrial Radio Access v7.1.0
【非特許文献６】3GPP TS 25.212 Multiplexing and channel coding (FDD) v7.3.0
【非特許文献７】3GPP TSG RAN WG1 #42 R1-051167 Rate-compatible LDPC codes with low complexity encoder & decoder, San Diego, US, Oct., 2005
【発明の概要】
【発明が解決しようとする課題】
【００１１】
ところで、次世代の移動体通信システムにおいては、４ＧＨｚ〜５ＧＨｚといった従来よりも高いキャリア周波数帯を用いることが検討されている。
【００１２】
高いキャリア周波数帯を用いると、距離減衰が大きくなるので、セルカバレッジを確保することが課題となる。
【００１３】
ここで、無線送信装置において、ＰＡＰＲ（Peak to average power ratio）は送信装置の送信電力を規定するものである。また、無線送信装置は、同一の送信アンプを使う場合、ＰＡＰＲが大きいアクセス方式よりも、ＰＡＰＲが小さいアクセス方式の方が、送信電力を大きくできる。
【００１４】
しかしながら、従来の階層化変調方式では、ＰＡＰＲが考慮されておらず、その結果、ＰＡＰＲにより送信電力が制約され、セルカバレッジが小さくなる。そのため、従来方式を用いて、セルラーシステムを構築する場合、多くの基地局装置を設置する必要があり、設置コスト及びその運用コストが増大してしまう欠点があった。
【００１５】
本発明は、かかる点を考慮してなされたものであり、高伝送レート時の誤り率特性の確保と、セルカバレッジの拡大といった要求に、柔軟に対応できる無線受信装置を提供する。
【課題を解決するための手段】
【００１６】
本発明の無線送信装置の一つの態様は、階層変調されたＯＦＤＭ信号を送信する無線送信装置であって、複数の変調信号が周波数領域に変換された第１のサブキャリア変調信号を形成する第１のサブキャリア変調手段と、複数の変調信号がパラレル変換された第２のサブキャリア変調信号を形成する第２のサブキャリア変調手段と、前記第１及び第２のサブキャリア変調信号を逆フーリエ変換することで、ＯＦＤＭ信号を形成する逆フーリエ変換手段と、前記逆フーリエ変換手段の前段側に設けられ、前記ＯＦＤＭ信号を構成する複数サブキャリアへの、前記第１及び第２のサブキャリア変調信号の割り当てを制御するサブキャリアマッピング手段と、を具備する構成を採る。
【００１７】
この構成によれば、従来の階層化変調されたＯＦＤＭ信号に比べ、ＰＡＰＲを低減したＯＦＤＭ信号を形成することができる。これにより、無線送信装置の低消費電力化、実効的な送信電力を高めることができる。また、第１のサブキャリア変調信号及び第２のサブキャリア変調信号を用いることで、より柔軟な周波数リソース割り当てが可能となる。具体的には、第１のサブキャリア変調信号のサブキャリアマッピングは、ＰＡＰＲを低減するために、限定された方法（ローカライズ（Localized）配置又はディストリビュート（Distributed）配置）しか使用できないが、第２のサブキャリア変調信号のサブキャリアマッピングには制約条件がない。その結果、サブキャリア変調信号全体としては、周波数リソース割り当ての柔軟性を損なうことがなく、ＰＡＰＲの低減が可能となる。
【００１８】
本発明の無線受信装置の一つの態様は、複数の変調信号が周波数領域に変換された第１のサブキャリア変調信号と、複数の変調信号がパラレル変換された第２のサブキャリア変調信号と、を含む信号を逆フーリエ変換することで形成されたＯＦＤＭ信号を受信する無線受信装置であって、前記ＯＦＤＭ信号をフーリエ変換することで、前記第１及び第２のサブキャリア変調信号を得るフーリエ変換手段と、前記第１のサブキャリア変調信号を時間領域に変換し、復調する第１の復調手段と、前記第２のサブキャリア変調信号をシリアル変換し、復調する第２の復調手段と、前記第２の復調手段の復調結果の尤度を、前記第１の復調手段の復調結果の尤度よりも高くして、前記第１及び第２の復調手段の復調結果を誤り訂正復号する復号手段と、を具備する構成を採る。
【００１９】
本発明の無線送信装置の一つの態様は、受信装置から通知される再送要求と、前記再送要求が通知された回数である再送要求回数とを検出する再送要求検出手段と、前記サブキャリアマッピング手段による前記第１及び第２のサブキャリア変調信号の前記複数サブキャリアへの割り当て配置を、前記再送要求回数に応じて可変制御するサブキャリア割当制御手段と、をさらに具備する構成を採る。
【発明の効果】
【００２０】
本発明によれば、高伝送レート時の誤り率特性の確保と、セルカバレッジの拡大といった要求に、柔軟に対応できる無線受信装置を実現できる。
【図面の簡単な説明】
【００２１】
【図１】本発明の実施の形態１に係る送信装置の構成を示すブロック図
【図２】第１及び第２のサブキャリア変調信号のサブキャリア割当の様子を示す図であり、図２Ａはローカライズ配置を行う場合のサブキャリア割当例、図２Ｂはディストリビュート配置を行う場合のサブキャリア割当例を示す図
【図３】実施の形態１の受信装置の構成を示すブロック図
【図４】第１のサブキャリア変調信号の割合を変化さした場合の、ＰＡＰＲの累積確率分布を示す図
【図５】図５Ａは本実施の形態の周波数リソース割当例、図５Ｂは従来の周波数リソース割当例を示す図
【図６】実施の形態１の送信装置の他の構成を示すブロック図
【図７】実施の形態１の受信装置の他の構成を示すブロック図
【図８】実施の形態２の送信装置の構成を示すブロック図
【図９】実施の形態２の受信装置の構成を示すブロック図
【図１０】実施の形態３の送信装置の構成を示すブロック図
【図１１】図１０の帯域制限フィルタのフィルタリング処理の説明に供する図
【図１２】実施の形態３の送信装置の他の構成を示すブロック図
【図１３】図１２の帯域制限フィルタのフィルタリング処理の説明に供する図
【図１４】実施の形態４の送信装置の構成を示すブロック図
【図１５】第１のサブキャリア変調信号をローカライズ配置する場合のサブキャリア割当例を示す図であり、図１５Ａはアンテナ１のサブキャリア割当、図１５Ｂはアンテナ２のサブキャリア割当を示す図
【図１６】第１のサブキャリア変調信号をディストリビュート配置する場合のサブキャリア割当例を示す図であり、図１６Ａはアンテナ１のサブキャリア割当、図１６Ｂはアンテナ２のサブキャリア割当を示す図
【図１７】実施の形態４の受信装置の構成を示すブロック図
【図１８】実施の形態４の受信装置の他の構成を示すブロック図
【図１９】実施の形態５の送信装置の構成を示すブロック図
【図２０】第２のサブキャリア変調信号の割合に対するＰＡＰＲ特性を示す図
【図２１】送信電力に対する第２のサブキャリア変調信号の割合を示す図
【図２２】実施の形態６のＨＡＲＱ動作を示す図
【図２３】実施の形態６の送信装置の構成を示すブロック図
【図２４】図２３のサブキャリア割当制御部の構成を示すブロック図
【図２５】実施の形態６の送信装置で行われる処理を示すフローチャート
【図２６】パケット生成処理を示すフローチャート
【図２７】パケット生成部の構成を示すブロック図
【図２８】サブキャリア割当例を示す図であり、図２８Ａは初回送信時のサブキャリア割当例、図２８Ｂは再送１回目のサブキャリア割当例を示す図
【図２９】再送回ごとのサブキャリア割当例を示す図であり、図２９Ａは（Ｎ３／２）＜Ｎ１の場合のサブキャリア割当、図２９Ｂは（Ｎ３／２）≧Ｎ１の場合のサブキャリア割当を示す図
【図３０】実施の形態６の［手法１］に対応する周波数リソース割当例であり、図３０Ａは初回送信時の周波数リソース割当、図３０Ｂは１回目の再送時の周波数リソース割当の例を示す図
【図３１】実施の形態６の［手法２］に対応する周波数リソース割当例であり、図３１Ａは品質優先時の周波数リソース割当、図３１Ｂはレート優先時の周波数リソース割当の例を示す図
【図３２】実施の形態６の受信装置の構成を示すブロック図
【図３３】実施の形態７の送信装置の構成を示すブロック図
【図３４Ａ】実施の形態７の受信装置の構成を示すブロック図
【図３４Ｂ】パケット合成部の構成例を示すブロック図
【図３５】実施の形態８の送信装置の他の構成を示すブロック図
【図３６】実施の形態８の受信装置の他の構成を示すブロック図
【図３７】実施の形態９におけるＭＣＷ構成の送信装置の構成を示すブロック図
【図３８】実施の形態９におけるＳＣＷ構成の送信装置の構成を示すブロック図
【図３９】実施の形態１０の送信装置の構成を示すブロック図
【図４０】実施の形態１０の送信装置による送信電力制御の一例を示す図であり、図４０Ａは残留マルチパス干渉に対する耐性が強い変調方式に用いた場合の送信電力制御、図４０Ｂは残留マルチパス干渉に対する耐性が弱い変調方式に用いた場合の送信電力制御を示す図
【図４１】サブキャリア割当制御部によって決定される第２のサブキャリア変調信号の割合の例を示す図
【図４２】実施の形態１１の送信装置の構成を示すブロック図
【図４３】実施の形態１１によるサブキャリア変調信号のマッピングの仕方の一例を示す図であり、図４３Ａはサブキャリア割当制御部における周波数領域割当結果を示し、図４３Ｂはサブキャリアマッピング部１１０ａのサブキャリアマッピング結果を示し、図４３Ｃはサブキャリアマッピング部１１０ｂのサブキャリアマッピング結果を示す図
【図４４】実施の形態１１の送信装置の他の構成を示すブロック図
【図４５】実施の形態１２の送信装置の構成を示すブロック図
【図４６】実施の形態１２によるサブキャリア変調信号のマッピングの仕方の一例を示す図であり、図４６Ａはサブキャリア割当制御部における周波数領域割当結果を示し、図４６Ｂはサブキャリアマッピング部１１０ａのサブキャリアマッピング結果を示し、図４６Ｃはサブキャリアマッピング部１１０ｂのサブキャリアマッピング結果を示す図
【図４７】実施の形態１３の送信装置の構成を示すブロック図
【図４８】実施の形態１３によるサブキャリア変調信号のマッピングの仕方の一例を示す図であり、図４８Ａはサブキャリア割当制御部１２４における周波数領域割当結果を示し、図４８Ｂ−１はサブキャリアマッピング制御部２６０１のマッピングパターンがＡの場合におけるＩＦＦＴ部１１１ａに入力されるサブキャリア信号を示し、図４８Ｂ−２はサブキャリアマッピング制御部２６０１のマッピングパターンがＡの場合におけるＩＦＦＴ部１１１ｄに入力されるサブキャリア信号を示し、図４８Ｃ−１はサブキャリアマッピング制御部２６０１のマッピングパターンがＢの場合におけるＩＦＦＴ部１１１ａに入力されるサブキャリア信号を示し、図４８Ｃ−２はサブキャリアマッピング制御部２６０１のマッピングパターンがＢの場合におけるＩＦＦＴ部１１１ｄに入力されるサブキャリア信号を示す図
【図４９】実施の形態１４の送信装置の構成を示すブロック図
【図５０】実施の形態１５の送信装置の構成を示すブロック図
【図５１】実施の形態１６の送信装置の構成を示すブロック図
【図５２】実施の形態１６の受信装置の構成を示すブロック図
【図５３】従来の階層化変調を用いる無線送信機の構成を示すブロック図
【図５４】従来の階層化変調を用いる無線送信機における周波数ブロック割当のイメージを示す図
【発明を実施するための形態】
【００２２】
以下、本発明の実施の形態について図面を参照して詳細に説明する。
【００２３】
（実施の形態１）
図１に、本発明の実施の形態１に係る送信装置の構成を示す。送信装置１００は、端末に設けられ、上りリンク送信を行うものである。
【００２４】
送信装置１００は、送信データを符号化部１０１に入力する。符号化部１０１は、ＭＣＳ（adaptive Modulation and Coding Scheme）制御部１２２により指示された符号化率を用いて、送信データ系列を誤り訂正符号化する。インターリーバ１０２は、符号化ビット列を所定のインターリーブパターンを用いてインターリーブする。
【００２５】
パーサ部１０３は、サブキャリア割当制御部１２４からの配分情報に基づいて、入力ビット列を、第１のサブキャリア変調部１０４又は第２のサブキャリア変調部１０５のいずれかに出力する。換言すれば、パーサ部１０３は、配分情報に基づいて、入力ビット列を、第１のサブキャリア変調部１０４及び第２のサブキャリア変調部１０５に分配する。
【００２６】
第１のサブキャリア変調部１０４は、キャリア変調部１０６と、ＤＦＴ（Discrete Fourier Transform）部１０７とを有する。キャリア変調部１０６は、ＭＣＳ制御部１２２からの変調方式情報に基づく変調方式（変調多値数）を用いて入力ビット列を変調する。これにより、キャリア変調部１０４からは、変調方式情報に応じた変調多値数のシンボルにマッピングされたシンボルデータ列が出力される。
【００２７】
ＤＦＴ部１０７は、第１のサブキャリア変調部１０４へのサブキャリア配分がＮ１個である場合、Ｎ１個のシンボルデータを一つのブロックとして、ＤＦＴ処理を行うことで、複数の変調信号を周波数領域に変換し、処理後の信号をサブキャリアマッピング部１１０に出力する。以下、第１のサブキャリア変調部１０４から出力される信号を第１のサブキャリア変調信号と呼ぶこともある。
【００２８】
第２のサブキャリア変調部１０５は、キャリア変調部１０８と、シリアルパラレル変換（Ｓ／Ｐ）部１０９とを有する。キャリア変調部１０８は、ＭＣＳ制御部１２２からの変調方式情報に基づく変調方式（変調多値数）を用いて入力ビット列を変調する。これにより、キャリア変調部１０８からは、変調方式情報に応じた変調多値数のシンボルにマッピングされたシンボルデータ列が出力される。ここで、キャリア変調部１０８は、キャリア変調部１０６に入力される変調方式情報とは異なる変調方式情報が入力された場合には、キャリア変調部１０６と異なる変調方式を用いて変調を行う。
【００２９】
Ｓ／Ｐ部１０９は、第２のサブキャリア変調部１０５へのサブキャリア配分がＮ２個である場合、Ｎ２個のシンボルデータのシリアルデータを一つのブロックとして、パラレルデータに変換して、サブキャリアマッピング部１１０に出力する。以下、第２のサブキャリア変調部１０５から出力される信号を、第２のサブキャリア変調信号と呼ぶこともある。
【００３０】
サブキャリアマッピング部１１０は、第１のサブキャリア変調部１０４の出力及び第２のサブキャリア変調部１０５の出力をそれぞれ、サブキャリア割当制御部１２４からの制御情報に基づくサブキャリアに配置にして、ＩＦＦＴ部１１１へ出力する。
【００３１】
図２に、サブキャリア割当制御部１２４によるサブキャリア割当の様子を示す。図２ＡはＤＦＴ部１０７からの出力を、局所的サブキャリアに配置する場合（以下これをローカライズ配置と呼ぶ）を示し、図２ＢはＤＦＴ部１０７からの出力を分散的サブキャリアに配置する場合（以下これをディストリビュート配置と呼ぶ）を示す。
【００３２】
サブキャリア割当制御部１２４は、以下の１）、２）の関係を満たしつつ、周波数リソース割当情報に基づき、第１及び第２のサブキャリアｎ変調部１０４、１０５の出力を、サブキャリアに割り当てると好適である。
【００３３】
１）第２のサブキャリア変調部１０５の出力が割り当てられるサブキャリア数は、第１のサブキャリア変調部１０４の出力が割り当てられるサブキャリア数以下とする。これにより、ＰＡＰＲを低減できる。
【００３４】
２）第１のサブキャリア変調部１０４の出力が割り当てられるサブキャリアは、連続したサブキャリアを割り当てる（ローカライズ配置）か、等間隔のサブキャリアを使用する（ディストリビュート配置）。なお、図２Ｂは、Ｌ個の等間隔のサブキャリアを使用したディストリビュート配置を示している。
【００３５】
因みに、周波数リソース割当情報などの制御信号の送信は、予め既定の方式（第１のサブキャリア変調部１０４又は第２のサブキャリア変調部１０５）を用いて送信するとよい。このようにすれば、制御信号が、どちらのサブキャリア変調信号に割り当てられているかを通知する必要がなくなるので、この分だけオーバーヘッドを低減することができる。なお、図１では、制御信号生成部１１２の信号を直接ＩＦＦＴ部１１１に入力しているが、上述した処理を行う場合には、制御信号生成部１１２の信号を第１のサブキャリア変調部１０４又は第２のサブキャリア変調部１０５に入力すればよい。
【００３６】
ＩＦＦＴ部１１１には、サブキャリアマッピング部１１０からのデータ信号に加えて、制御信号生成部１１２からの制御信号とパイロット信号生成部１１３からのパイロット信号とが入力され、ＩＦＦＴ部１１１は、これらに対してＮｓ個のサイズのＩＦＦＴ処理を行う。ＣＰ付加部１１４は、ＩＦＦＴ部１１１の出力信号にＣＰ（サイクリックプレフィクス；Ｃｙｃｌｉｃ Ｐｒｅｆｉｘ）を付加する。送信ＲＦ部１２０は、ＣＰ付加部１１４から出力された信号に対して、アップコンバートや送信電力制御等の所定の無線送信処理を施し、処理後の信号をアンテナ１１６に送出する。
【００３７】
次に、送信装置１００の受信系について説明する。
【００３８】
アンテナ１１６で受信された信号は、受信ＲＦ部１２０によって、増幅処理やダウンコンバート等の所定の無線受信処理が施された後、チャネル品質情報抽出部１２１及び周波数リソース割当情報抽出部１２３に送出される。
【００３９】
チャネル品質情報抽出部１２１は、通信相手局（本実施の形態の場合、基地局）の受信装置で測定され、当該通信相手局から送信されたチャネル品質情報を抽出する。すなわち、送信装置１００が送信した信号の受信時のチャネル品質情報を抽出し、これをＭＣＳ制御部１２２に送出する。ＭＣＳ制御部１２２は、チャネル品質情報を基に、符号化部１０１の符号化率及びキャリア変調部１０６、１０８の変調多値数等を決定する。
【００４０】
周波数リソース割当情報抽出部１２３は、受信信号に含まれる、通信相手局から送信された周波数リソース割当情報を抽出する。周波数リソース割当情報には、送信装置１００が送信帯域中のどのサブキャリアに、どのサブキャリア変調信号を配置して送信すればよいかを示す情報が含まれる。
【００４１】
サブキャリア割当制御部１２４は、周波数リソース割当情報に基づいて、第１のサブキャリア変調部１０４及び第２のサブキャリア変調部１０５の出力が、使用するサブキャリア配分及びサブキャリア配置を決定し、決定結果をパーサ部１０３及びサブキャリアマッピング部１１０に出力する。
【００４２】
図３に、本実施の形態の受信装置の構成を示す。受信装置２００は、基地局に設けられ、送信装置１００から送信された信号を受信復調する。
【００４３】
受信装置２００は、アンテナ２０１において受信した信号を、受信ＲＦ部２０２によって増幅処理やダウンコンバート等の所定の無線受信処理を施し、ＣＰ除去部２０３でＣＰを除去した信号をＦＦＴ部２０４に入力する。ＦＦＴ部２０４は、入力信号にＦＦＴ処理を施し、処理後の信号を等化部２０５、チャネル推定部２０６及びチャネル品質測定部２０７に送出する。
【００４４】
等化部２０５は、チャネル推定部２０６で推定されたサブキャリア毎のチャネル推定値を用いて、ＺＦ（Zero Forcing）規範又はＭＭＳＥ（Minimum Mean Square Error）規範を用いて、等化を行う。なお、等化部２０５は、第１のサブキャリア変調信号が割り当てられているサブキャリアに対しては、ＭＭＳＥ規範による周波数領域等化を行うこともできる。また、等化部２０５は、第２のサブキャリア変調信号が割り当てられているサブキャリアに対しては、ＺＦ規範による周波数等化を行うこともできる。上記のように、等化部２０５は、いずれのサブキャリア変調信号であるかに応じて、等化方式を切り換えるようにしてもよい。等化部２０５の出力は、サブキャリアデマッピング部２０８及びＭＣＳ情報抽出部２０９に送出される。
【００４５】
チャネル品質測定部２０７は、サブキャリア毎のチャネル品質を測定し、測定結果を周波数リソース割当制御部２１０及び符号化部２２１に送出する。
【００４６】
周波数リソース割当制御部２１０は、サブキャリア毎のチャネル品質に基づいて、どのサブキャリアに、第１及び第２のサブキャリア変調部１０４、１０５のどちらの出力を割り当てるかを制御する。つまり、周波数リソース割当制御部２１０によって決定された周波数割当情報が、符号化部２２１、変調部２２２、多重部２２３、送信ＲＦ部２２６及びアンテナ２０１を介して送信装置１００に送信され、この周波数割当情報に基づいて、送信装置１００において第１及び２のサブキャリア変調部１０４、１０５の出力がどのようにサブキャリアに配置されるかが制御される。また、周波数リソース割当情報は、周波数リソース割当情報記憶部２１１に記憶される。
【００４７】
なお、受信装置２００は、送信データを、符号化部２２４、変調部２２５、多重部２２３、送信ＲＦ部２２６及びアンテナ２０１を介して送信装置１００に送信する。
【００４８】
サブキャリアデマッピング部２０８は、周波数リソース割当情報を基に、第１のサブキャリア変調信号が割り当てられたサブキャリア群をＩＤＦＴ部２１２に出力する。一方、サブキャリアマッピング部２０８は、第２のサブキャリア変調信号が割り当てられたサブキャリア群をＰ／Ｓ変換部２１５に出力する。
【００４９】
ＩＤＦＴ部２１２は、周波数リソース割当情報に基づき、入力信号にＮ１個のサブキャリア信号が含まれる場合、Ｎ１個のサイズでＩＤＦＴを行う。
【００５０】
Ｐ／Ｓ部２１５は、周波数リソース割当情報に基づき、入力信号にＮ２個のサブキャリア信号が含まれる場合、Ｎ２個のサイズでパラレルシリアル変換を行う。
【００５１】
第１及び第２の復調部２１３、２１６はそれぞれ、入力される変調シンボル系列に対して、ＭＣＳ情報抽出部２０９からの変調方式情報に対応したシンボルデマッピング処理を行い、ビット毎の軟判定尤度値を算出する。
【００５２】
ここで、第１のサブキャリア変調信号及び第２のサブキャリア変調信号におけるキャリア変調部１０６及び１０８でのＭＣＳ設定を、第１のサブキャリア変調信号の受信特性から決定するとよい。すなわち、ＡＷＧＮ（熱雑音）環境での、第１のサブキャリア変調信号における受信品質（ＳＩＲ、ＣＩＲ等）対誤り率特性（ＢＥＲ、ＰＥＲ等）の特性から所定の誤り率を満たす多値変調数及び符号化率を決定する。
【００５３】
そのような場合、第１のサブキャリア変調信号に対応する受信信号は、チャネル推定誤差の影響等により、マルチパス干渉の影響を受け易く、受信特性が劣化し易い。特に、第１のサブキャリア変調信号に対応する受信信号は、変調多値数が大きいほど、その影響を受け易い。そのため、チャネル品質が同程度で、同じ変調多値数を用いて、第１及び第２のサブキャリア変調信号の受信特性を比較した場合、第２のサブキャリア変調信号の受信特性が、第１のサブキャリア変調信号の受信特性よりも良好になる確率が高くなる。
【００５４】
第１及び第２の尤度重み付け部２１４、２１７は、この性質を利用して、復調部２１３、２１６の出力である軟判定尤度値に重み付けを行う。すなわち、第２の尤度重み付け部２１７は、第２の復調部２１６の出力の軟判定尤度値に対して、信頼度を高める重み付け係数αを乗算する。ここで、α＞１である。あるいはまた、第１の尤度重み付け部２１４は、第１の復調部２１３の出力の軟判定尤度値に対して、信頼度を低くする重み付け係数βを乗算する。ここで、β＜１である。すなわち、第１の尤度重み付け部２１４の重み付け係数を、第２の重み付け部２１７の重み付け係数よりも小さくする。このような尤度重み付けを行うことにより、誤り訂正復号が処理されることで、第１のサブキャリア変調信号の受信特性を改善することができる。
【００５５】
デパーサ部２１８は、周波数リソース割当情報に基づき、送信装置１００のパーサ部１０３での配分処理と逆の処理を行うことで、第１及び第２の重み付け尤度部２１４、２１７からの出力をシリアル信号とする。デパーサ部２１８の出力はデインターリーバ２１９でデインターリーブされ、復号部２２０において誤り訂正復号処理されることで、受信データとされる。
【００５６】
図４に、第１のサブキャリア変調信号の割合を変化した場合の、ＰＡＰＲの累積確率分布を示す。図の横軸はＰＡＰＲを示し、縦軸は累積確率分布（ＣＤＦ）を示す。また、図４は、変調方式をＱＰＳＫ、ＲＢ（Resource Block）を１２サブキャリアとした場合のシミュレーション結果である。図４から、第１のサブキャリア変調信号の割合を、５０［％］以上に設定すると、ＰＡＰＲを非常に小さくできることが分かる。
【００５７】
図５に、本実施の形態の周波数リソース割当（図５Ａ）と、従来の周波数リソース割当（図５Ｂ）との比較例を示す。図５Ｂは、第１のサブキャリア変調信号のみをローカライズ配置した従来の割当例を示すものである。図５Ｂより、第１のサブキャリア変調信号だけでは、ＰＡＰＲの増加は抑えられるが、サブキャリア配置に制約を受けるため、最適な品質が得られるリソース割当が困難であることがわかる。
【００５８】
すなわち、図５Ｂでは、ＰＡＰＲの増加は抑制できるが、第１のサブキャリア変調信号のサブキャリア配置の制約を受けるため、最適な品質が得られるリソース割当が困難であることがわかる。
【００５９】
これに対して、図５Ａに示すように、本実施の形態では、第１及び第２のサブキャリア変調信号を用いるので、柔軟でかつ良好な周波数割当を実現できる。すなわち、ＰＡＰＲを抑えつつ、最適な品質が得られるリソース割当が可能となる。
【００６０】
ここで、第１及び第２のサブキャリア変調信号のサブキャリア割当の手法として、例えば以下の  １）、２）がある。以下の手法を用いることで、送信データのＱｏＳを考慮した周波数リソース割当を行うことができる。
【００６１】
１）品質優先：  チャネル品質が良好なサブキャリアに、第１のサブキャリア変調信号を優先的に割当て、残りのサブキャリアに第２のサブキャリア変調信号を割り当てる。
【００６２】
２）レート優先：  チャネル品質が良好なサブキャリアに、第２のサブキャリア変調信号を優先的に割当て、残りのサブキャリアに第１のサブキャリア変調信号を割り当てる。
【００６３】
以上説明したように、本実施の形態によれば、複数の変調信号が周波数領域に変換された第１のサブキャリア変調信号を形成する第１のサブキャリア変調部１０４と、複数の変調信号がパラレル変換された第２のサブキャリア変調信号を形成する第２のサブキャリア変調部１０５と、第１及び第２のサブキャリア変調信号を逆フーリエ変換することで、ＯＦＤＭ信号を形成するＩＦＦＴ部１１１と、ＯＦＤＭ信号を構成する複数サブキャリアへの、第１及び第２のサブキャリア変調信号の割り当てを制御するサブキャリアマッピング部１１０とを設けたことにより、誤り率特性の確保と、セルカバレッジの拡大といった要求に柔軟に対応できる送信装置１００を実現できる。
【００６４】
図１との対応部分に同一符号を付して示す図６に、本実施の形態の送信装置の別の構成例を示す。なお、図６では、第１及び第２のサブキャリア変調部１０４、１０５の前段側の構成は省略して示した。送信装置３００は、第２のサブキャリア変調部１０５に、送信データのうち、重要データを入力する。一方、送信装置３００は、第１のサブキャリア変調部１０４に、送信データのうち、重要度が高くない通常データを入力する。これにより、第２のサブキャリア変調信号の受信品質が、第１のサブキャリア変調信号よりも良好である特性を利用して、送信信号全体の受信品質を高めることができる。
【００６５】
重要データとしては、制御信号がある。あるいはまた、誤り訂正符号化器（図１における符号化部１０１）が、システマティック符号（ターボ符号、ＬＤＰＣ）を用いる構成とされている場合には、システマティックビット（systematic bit）を重要データとして、優先的に第２のサブキャリア変調信号に割り当てて送信し、パリティビット（Parity bit）は通常データとして、第１のサブキャリア変調信号に割り当てて送信するとよい。
【００６６】
図３との対応部分に同一符号を付して示す図７に、本実施の形態の受信装置の別の構成例を示す。受信装置４００は、サブキャリアデマッピング部２０８の後段側に、第１及び第２のサブキャリア変調信号独立に等化部２０５−１、２０５−２が設けられている。このようにすることで、等化部２０５−１、２０５−２においてそれぞれ、第１のサブキャリア変調信号及び第２のサブキャリア変調信号に最適な等化方式を用いて等化処理を行うことができ、第１及び第２のサブキャリア変調信号を同一の等化方式で等化処理する場合よりも受信特性を改善することができる。
【００６７】
なお、本実施の形態においては、送信装置１００に１つの符号化部１０１を設けた場合について述べたが、複数の符号化部を設け、例えば第１のサブキャリア変調信号と、第２のサブキャリア変調信号を別の符号化部によって符号化するようにしてもよい。これは、後述する他の実施の形態においても同様である。
【００６８】
また、本実施の形態においては、受信装置２００、４００に、重み付け部２１４、２１７を設けた場合について述べたが、重み付け部を省略してもよい。これは、後述する他の実施の形態においても同様である。
【００６９】
（実施の形態２）
実施の形態１では、第１及び第２のサブキャリア変調信号が混在した信号を送信する送信装置を、ＦＤＤ通信システムの端末に設けた場合（つまり、実施の形態１では、第１及び第２のサブキャリア変調信号が混在した信号を上りリンクで送信する場合）の構成を説明した。
【００７０】
本実施の形態では、第１及び第２のサブキャリア変調信号が混在した信号を送信する送信装置を、基地局に設けた場合（つまり、第１及び第２のサブキャリア変調信号が混在した信号を下りリンクで送信する場合）の構成を説明する。
【００７１】
以下では、実施の形態１と異なる構成部分のみ説明する。
【００７２】
図１との対応部分に同一符号を付して示す図８に、本実施の形態の送信装置５００の構成を示す。送信装置５００は、基地局に設けられている。
【００７３】
送信装置５００のチャネル品質情報抽出部１２１は、受信装置（端末）から送信されたチャネル品質情報を受信信号から抽出する。サブキャリア割当制御部５０１は、チャネル品質情報を基に、送信装置５００が送信帯域中のどのサブキャリアを用いて送信するかを決定する。加えて、サブキャリア割当制御部５０１は、チャネル品質情報を基に、第１のサブキャリア変調信号及び第２のサブキャリア変調信号を割り当てるサブキャリア配分を決定し、その結果をパーサ部１０３及びサブキャリアマッピング部１１０に出力する。
【００７４】
制御信号生成部５０２は、受信装置に通知するためのサブキャリア割当情報とサブキャリアに割り当てたＭＣＳの情報（ＭＣＳ情報）とを含む制御信号を生成する。
【００７５】
図３との対応部分に同一符号を付して示す図９に、本実施の形態の受信装置の構成を示す。受信装置６００は、端末に設けられている。
【００７６】
周波数リソース割当情報抽出部６０１は、送信装置５００により送信された制御信号に含まれる周波数リソース割当情報を抽出する。周波数リソース割当情報は、どのサブキャリアに、第１又は第２のどちらのサブキャリアの変調信号がマッピングされているかの配分を示す情報である。周波数リソース割当情報抽出部６０１は、抽出した周波数リソース割当情報を、サブキャリアデマッピング部２０８、ＩＤＦＴ部２１２、Ｐ／Ｓ部２１５及びデパーサ部２１８に送出する。
【００７７】
本実施の形態によれば、実施の形態１と同様の効果を得ることができる。
【００７８】
（実施の形態３）
図１及び図６との対応部分に同一符号を付して示す図１０に、本実施の形態の送信装置の主要部の構成を示す。図１０では、本実施の形態において、新たに提案する構成の周辺部分のみを示し、それ以外の構成は省略して示している。
【００７９】
送信装置７００は、第１のサブキャリア変調部１０４の出力側に帯域制限フィルタ７０１が設けられており、帯域制限フィルタ７０１によって第１のサブキャリア変調信号の帯域を制限した後に、サブキャリアマッピング部１１０に入力させるようになっている。
【００８０】
帯域制限フィルタ７０１は、図１１に示すように、ＤＦＴ出力である第１のサブキャリア変調信号をローカライズ配置し、その帯域の両端にあるサブキャリアＮｆ個を、別な帯域端に、それぞれコピーした後にＲＲＣ（Root Raised Cosine）フィルタをかける。ここで、コピーするサブキャリア数は、ＲＲＣフィルタのロールオフ率αに依存して決定される。ここでＤＦＴ部１０７が、周波数リソース割当情報に基づき、Ｎ１個のサイズでＤＦＴを行う場合、一方の帯域端においてＮｆ＝ＣＥＩＬ[(Ｎ１×α)／２]分のサブキャリア信号をそれぞれコピーし、反対側の帯域端にサブキャリア信号を外挿する。ここでＣＥＩＬ[ｘ]は、ｘを超える最小の整数を表す。
【００８１】
ここでＲＲＣフィルタに関しては、例えば非特許文献１に記載されているため、ここでの詳細説明は省略する。
【００８２】
サブキャリアマッピング部１１０は、帯域制限された第１のサブキャリア変調信号の出力に対し、ＲＲＣフィルタのロールオフ率αに依存した間隔Ｎｆ個以上のサブキャリア間隔Ｎｓをとり、第２のサブキャリア変調信号をマッピングする。
【００８３】
以上により、第１のサブキャリア変調信号におけるＰＡＰＲがより低減される。一方、第２のサブキャリア変調信号の配置をロールオフ率に依存した間隔以上広げることで、第１のサブキャリア変調信号の干渉をなくすことができ、受信側ではＳＩＲの劣化なく第２のサブキャリア変調信号を受信できるようになる。
【００８４】
図１２に、本実施の形態の送信装置の別の構成例を示す。送信装置８００は、サブキャリアマッピング部１１０の出力側に帯域制限フィルタ８０１が設けられている。
【００８５】
図１３に、サブキャリアマッピング部１１０の出力を示す。図のように、サブキャリアマッピング部１１０は、第１のサブキャリア変調信号をローカライズ配置し、それに隣接させて第２のサブキャリア変調信号を配置する。なお、図では、第１のサブキャリア変調信号と第２のサブキャリア変調信号間には間隔があいていないが、間隔をあけてもよい。
【００８６】
帯域制限フィルタ８０１は、図１３に示すように、第１及び第２のサブキャリア変調信号が構成する、サブキャリア信号全体の帯域の両端にあるサブキャリアＮｆ個を、別な帯域端に、それぞれコピーした後にＲＲＣ（Root Raised Cosine）フィルタをかける。ここで、コピーするサブキャリア数は、ＲＲＣフィルタのロールオフ率αに依存して決定される。ここでＤＦＴ部１０７が、周波数リソース割当情報に基づき、Ｎ１個のサイズでＤＦＴを行い、Ｓ／Ｐ部１０９が、Ｎ２個のサイズ単位でパラレル変換を行う場合、以下のようにサブキャリア信号を外挿する。
【００８７】
すなわち、第１のサブキャリア変調信号に、割り当てられる帯域の外側となる帯域端において、Ｎｆ＝ＣＥＩＬ[(Ｎ１＋Ｎ２)×α／２]分のサブキャリアをそれぞれコピーし、反対側の帯域端に外挿する。そして、第２のサブキャリア信号に、割り当てられる帯域の外側となる帯域端において、Ｎｆ＝ＣＥＩＬ[(Ｎ１＋Ｎ２)×α／２]分のサブキャリアをコピーし、反対側の帯域端に外挿する。この処理は、帯域制限フィルタ８０１で行ってもよく、サブキャリアマッピング部１１０で行ってもよい。ここでＣＥＩＬ[ｘ]は、ｘを超える最小の整数を表す。
【００８８】
以上により、第１のサブキャリア変調信号及び第２のサブキャリア変調信号に対する、ＰＡＰＲを低減することができる。
【００８９】
（実施の形態４）
図１との対応部分に同一符号を付して示す図１４に、本実施の形態の送信装置の構成を示す。送信装置１０００は、ｎ個のアンテナ１１６−１〜１１６−ｎを有すると共に、それぞれが各アンテナに対応したｎ個の送信ユニット１００１−１〜１００１−ｎを有する。これにより、送信装置１０００は、複数のアンテナ１１６−１〜１１６−ｎを用いたＭＩＭＯ（Multiple-Input Multiple-Output）送信により、実施の形態１〜実施の形態３で説明した変調信号を空間多重伝送するようになっている。
【００９０】
各送信ユニット１００１−１〜１００１−ｎは、実施の形態１で説明した図１の送信系の構成要素１０１〜１１５から構成されている。各送信ユニット１００１−１〜１００１−ｎで得られた信号は、対応する各アンテナ１１６−１〜１１６−ｎに供給される。
【００９１】
受信系は、実施の形態１で説明した受信系と同様である。但し、ＭＣＳ制御部１２２は各送信ユニット１００１−１〜１００１−ｎにＭＣＳを送出し、サブキャリア割当制御部１２４は各送信ユニット１００１−１〜１００１−ｎにサブキャリア割当情報を送出する。
【００９２】
ここで、本実施の形態は、シングルユーザＭＩＭＯ伝送を想定しており、アンテナ１１６−１〜１１６−ｎ間で共通なサブキャリア変調信号のマッピングを行う。具体的には、各送信ユニット１００１−１〜１００１−ｎにおけるサブキャリアマッピング部１１０での第１及び第２のサブキャリア変調信号のマッピングを共通にすることで、アンテナ間１１６−１〜１１６−ｎで共通なサブキャリアマッピングを行う。少なくとも第２のサブキャリア変調信号のサブキャリアマッピングは、アンテナ１１６−１〜１１６−ｎ間で共通にする。なお、この際、サブキャリア変調部１０４、１０５における変調多値数は、アンテナ間で共通にしなくともよく、アンテナ毎にチャネル品質に応じて、適応的に制御してもよい。
【００９３】
図１５及び図１６に、送信装置１０００によるアンテナ１１６−１〜１１６−ｎ間でのサブキャリアマッピングの様子を示す。図１５は、第１のサブキャリア変調信号（ＤＦＴ部１０７からの出力）をローカライズ配置する場合の様子を示し、図１６は、第１のサブキャリア変調信号（ＤＦＴ部１０７からの出力）をディストリビュート配置する場合の様子を示す。
【００９４】
送信装置１０００は、図１５及び図１６に示すように、ローカライズ配置を行う場合又はディストリビュート配置を行う場合のいずれの場合であっても、アンテナ１（送信ユニット１）の第１及び第２のサブキャリア変調信号の配置と、アンテナ２（送信ユニット２）の第１及び第２のサブキャリア変調信号の配置とを共通にする。
【００９５】
図３との対応部分に同一符号を付して示す図１７に、送信装置１０００から送信された空間多重信号を受信復調する受信装置１１００の構成を示す。受信装置１１００は、ｎ個のアンテナ２０１−１〜２０１−ｎを有すると共に、それぞれが各アンテナに対応したｎ個の受信ユニット１１０１−１〜１１０１−ｎを有する。
【００９６】
各受信ユニット１１０１−１〜１１０１−ｎは、実施の形態１で説明した図３の受信系の構成要素とほぼ同じ構成要素から構成されている。以下に、図３の受信系と異なる部分を説明する。
【００９７】
サブキャリアデマッピング部２０８の後段には、線形分離等化部１１０２及び非線形分離部１１０３が設けられている。サブキャリアデマッピング部２０８は、周波数リソース割当情報記憶部２１１からの周波数リソース割当情報に基づいて（図１７では図を簡略ささせるために、この信号線を省略してある）、第１のサブキャリア変調信号を線形分離等化部１１０２に、第２のサブキャリア変調信号を非線形分離部１１０３に送出する。
【００９８】
線形分離等化部１１０２は、ＭＭＳＥやＺＦのような線形な空間多重分離及び周波数領域等化を行うことで、空間多重伝送された複数の第１のサブキャリア変調信号を分離する。
【００９９】
非線形分離部１１０３は、ＭＬＤのような非線形な空間多重分離手法を用いて、空間多重伝送された複数の第２のサブキャリア変調信号を分離する。
【０１００】
ＭＣＳ情報抽出部１１０４は、線形分離等化部１１０２の出力からＭＣＳ情報を抽出し、これを第１及び第２の復調部２１３、２１６に加えて、非線形分離部１１０３に送出する。
【０１０１】
以上の構成において、送信装置１０００は、送信アンテナが異なっても、サブキャリア位置が同一であれば、同一の種類（第１又は第２の）サブキャリア変調信号を送信する。これにより、受信装置１１００は、空間多重された同一の種類のサブキャリア変調信号に対して、空間多重分離手法を適用することになる。
【０１０２】
ここで、特に、同一の種類のサブキャリア変調信号として、第２のサブキャリア変調信号が空間多重された場合、ＭＭＳＥやＺＦのような線形な空間多重分離手法だけでなく、ＭＬＤのような非線形な空間多重分離手法を用いる非線形分離手法を適用できる。この点が、本実施の形態において重要な点である。
【０１０３】
仮に、同一サブキャリアに対して、第１のサブキャリア変調信号と、第２のサブキャリア変調信号とを混在させて空間多重した場合を考える。第１のサブキャリア変調信号は、シンボル系列信号を、ＤＦＴ部１０７を用いて周波数領域に変換している。このため、受信装置１１００は、サブキャリアデマッピング後の信号に対し、ＭＬＤのような非線形な空間多重分離手法を用いることができなくなる。
【０１０４】
ここで、線形空間多重分離手法は適用できるが、第１のサブキャリア変調信号におけるマルチパス干渉が十分排除しきれない場合、第２のサブキャリア変調信号の受信特性の劣化を引き起こすこととなる。すなわち、空間多重分離手法によらず、同一サブキャリアに、第１のサブキャリア変調信号と、第２のサブキャリア変調信号とを混在させる場合、十分な受信品質が得られないというデメリットが生じる。
【０１０５】
本実施の形態によれば、サブキャリア位置が同一であれば、同一の種類（第１又は第２の）サブキャリア変調信号を送信したことにより、第２のサブキャリア変調信号を用いて送信されているサブキャリアは、ＭＬＤのような非線形な空間多重分離手法を用いる非線形分離部１１０３を用いて、空間多重伝送信号の分離が可能となる。これにより、第２のサブキャリア変調信号の受信品質を高めることができ、また、尤度重み付け補正により、第２のサブキャリア変調信号の尤度情報を高める重み付け処理を行うことで、第１のサブキャリア変調信号の誤り訂正後の受信品質をさらに高めることができる。
【０１０６】
図１７との対応部分に同一符号を付して示す図１８に、本実施の形態の受信装置の別の構成例を示す。受信装置１２００は、第１のサブキャリア変調信号を第１の分離等化部１２０１に入力すると共に、第２のサブキャリア変調信号を第２の分離等化部１２０２に入力する。第２の分離等化部１２０２は、第２のサブキャリア変調信号を、ＺＦやＭＭＳＥなどの線形分離手法を用いて空間多重分離する。なお、図１８の構成を採用した場合でも、尤度重み付け補正による、第１のサブキャリア変調信号の誤り訂正後の受信品質の改善効果は図１７と同様に得られるが、その効果は図１７の構成よりも小さい。
【０１０７】
なお、本実施の形態では、シングルユーザＭＩＭＯ伝送を想定した構成例を説明したが、本実施の形態の原理は、上りマルチユーザＭＩＭＯ伝送を行う場合にも適用できる。この場合、異なるユーザに送信ユニット１１０１及びアンテナ１１６が設けられていると考えればよく、異なるユーザから送信される信号間の関係を、上述したのと同様に共通化すればよい。すなわち、第１及び第２のサブキャリア変調信号のマッピングを同一にするように、周波数リソース割当情報を受信機（基地局）から各ユーザに通知し、異なるユーザの送信装置（端末）のサブキャリアマッピング部は、空間多重伝送信号間で共通なサブキャリアマッピングを行う。少なくとも第２のサブキャリア変調信号のサブキャリアマッピングはアンテナ間で共通にする。
【０１０８】
（実施の形態５）
図１との対応部分に同一符号を付して示す図１９に、本実施の形態の送信装置の構成を示す。送信装置１３００は、送信電力制御情報抽出部１３０１を有する。送信電力制御情報抽出部１３０１は、受信機から通知される送信電力制御情報を抽出し、これを送信ＲＦ部１１５に加えて、サブキャリア割当制御部１３０２に送出する。
【０１０９】
サブキャリア割当制御部１３０２は、送信電力制御情報を基に、第１及び第２のサブキャリア変調信号のサブキャリア割当を可変制御する。具体的には、図２１に示すように、送信電力が最大送信電力から小さくなるにつれて、第２のサブキャリア変調信号の割合を多くしていく制御を行う。
【０１１０】
また、この際に、使用する変調多値数毎に、図２０に示すように、第２のサブキャリア変調信号の割合を可変したときのＰＡＰＲ特性を予め測定しておき、割合を１００［％］にしたときのＰＡＰＲの最大値Ｄmaxを基に、図２１における制御の指標とする。
【０１１１】
これにより、最大送信電力からの送信電力のマージンをみて、第２の変調方式の割合を可変することができる。このため、基地局近傍では、多値変調、ＭＩＭＯ伝送に好適な第２の変調方式の配分（場合によっては１００［％］にする）を多くしてサブキャリアを割り当てることができる。これにより、ＰＡＰＲの制限をうけることなく、受信品質を改善することができる。
【０１１２】
一方、基地局から離れたセルエッジでは、送信電力を高くすることになり、その結果、第２の変調方式の配分を減らすことになり、さらに、ＰＡＰＲを低減することができる。これにより、セルエッジでの送信電力を高めることができ、それに伴い受信品質の改善を図ることができる。
【０１１３】
（実施の形態６）
本実施の形態では、第１及び第２のサブキャリア変調信号が混在した信号を送受信する送信装置及び受信装置に、ＨＡＲＱの機能を持たせた場合の構成を説明する。
【０１１４】
ＨＡＲＱ（ハイブリッドＡＲＱ）は、自動再送要求（ＡＲＱ：Automatic Repeat reQuest）と誤り訂正符号化とに基づく技術であり、例えば非特許文献２に記載されているため詳細な説明は省略する。ＨＡＲＱの処理を行うために、本実施の形態における送信装置は、パケット伝送を行う。パケット伝送では、送信データ系列は後述する規範に従って特定のビット長のブロック（データパケット）に分割され、そのブロック単位で伝送が行われる。
【０１１５】
本実施の形態では、ＨＡＲＱの方式のうち、ＣＣ（Chase Combining）と呼ばれる方式を用いる。ＣＣ方式を用いる場合のＨＡＲＱの動作について、図２２を用いて簡単に説明する。
【０１１６】
まず、送信装置がパケット＃ｎを送信する（ステップＳＴ１０）。受信装置はパケット＃ｎを復調・復号し、復号結果に誤りを検出するとＮＡＣＫ（否定応答、ＮＡＣＫ）を通知する（ステップＳＴ１１）。送信装置はＮＡＣＫを受け取ると、先ほど送信したパケット＃ｎを再送する（ステップＳＴ１２）。
【０１１７】
受信装置は、ステップＳＴ１０において送信されたパケット＃ｎと、ステップＳＴ１２において送信されたパケット＃ｎとを、最大比合成してから復調・復号する。復号結果に誤りが検出されなければ、ＡＣＫ（確認応答）を通知する（ステップＳＴ１３）。送信装置はＡＣＫを受け取ると、次の新しいパケット＃ｎ＋１を送信する（ステップＳＴ１４）。
【０１１８】
以降も同様に、送信装置は送信したパケットに対するＡＣＫを受信装置から受け取るまで同一のパケットを繰り返し送信し、ＡＣＫを受け取ると次の新規のパケットを送信する。ＣＣ方式については非特許文献３などに記載されているため、詳細な説明は省略する。
【０１１９】
なお、本実施の形態では実施の形態１と同様に、第１及び第２のサブキャリア変調信号が混在した信号を送信する送信装置を、ＦＤＤ通信システムの上りリンク送信に用いる場合の構成を説明する。よって以下では、実施の形態１と異なる構成部分のみ説明する。
【０１２０】
図１との対応部分に同一符号を付して示す図２３に、本実施の形態の送信装置（端末）の構成を示す。送信装置１４００は、ＦＤＤ通信システムの端末に設けられている。送信装置１４００（端末）は、図１の送信装置１００の構成に加えて、再送制御情報抽出部１４０１と、パケット生成部１４０２とを有する。また、送信装置１４００（端末）は、サブキャリア割当制御部１２４−１の構成が、送信装置１００のサブキャリア割当制御部１２４の構成と異なる。
【０１２１】
図２４に、サブキャリア割当制御部１２４−１の内部の構成を示す。サブキャリア割当制御部１２４−１には、周波数リソース割当情報抽出部１２３からの周波数リソース割当情報と、再送制御情報抽出部１４０１からの再送回数Ｋｒとが入力されている。
【０１２２】
使用サブキャリア数計算部１４１１は、周波数リソース割当情報を基に、第１及び第２のサブキャリア変調信号を割り当てて、使用するサブキャリアの数Ｎ１，Ｎ２を計算する。計算されたＮ１，Ｎ２はパーサ部１０３へと出力される。パーサ部１０３に出力されたＮ１，Ｎ２の情報は、インターリーバ１０２からパーサ部１０３に入力された符号化ビット列を、Ｎ１：Ｎ２の比率で第１のサブキャリア変調部及び第２のサブキャリア変調部へと配分するために用いられる。
【０１２３】
サブキャリア割当パターン選択部１４１２には、予めシステムで利用可能な第１及び第２のサブキャリアの集合（以降、複数のサブキャリアの集合のことをサブキャリア群と記す）の配置パターンが記憶されている。サブキャリア割当パターン選択部１４１２は、周波数リソース割当情報と再送回数Ｋｒとの組み合わせから配置パターンを選択し、選択した配置パターンをサブキャリア割当情報生成部１４１４に出力する。
【０１２４】
使用周波数ブロック情報抽出部１４１３は、周波数リソース割当情報を基に、ＩＦＦＴ部１１１の入力であるＦＦＴ帯域幅のうち、どのサブキャリアに対して、第１と第２のサブキャリア変調信号をあわせたサブキャリア群を割り当てるのかを示す使用周波数ブロック情報を抽出し、この使用周波数ブロック情報をサブキャリア割当情報生成部１４１４に出力する。
【０１２５】
サブキャリア割当情報生成部１４１４は、使用周波数ブロック情報とサブキャリア割当パターンとに基づいて、サブキャリア割当情報を生成し、これをサブキャリアマッピング部１１０に出力する。サブキャリア割当情報には、第１及び第２のサブキャリア変調信号を割り当てるサブキャリア位置と、未使用とする（サブキャリア変調信号を割り当てず、ヌルキャリアとする）サブキャリア位置との情報が含まれる。
【０１２６】
図２５のフローチャートに、送信装置１４００（端末）で行われる処理の一部を示す。送信装置１４００（端末）は、通信を開始すると（ステップＳＴ１０１）、まず再送回数Ｋｒを０にリセットし（ステップＳＴ１０２）、次にパケット生成部１４０２で送信データから新規のデータパケットを生成して符号化部１０１に出力する（ステップＳＴ１０３）。
【０１２７】
そして生成したデータパケットに対して、実施の形態１における送信データに対する処理と同様の処理を行い、アンテナから送信する（ステップＳＴ１０４−ＳＴ１０６）。この後、受信装置から送信装置１４００（端末）へと、送信装置１４００（端末）が送信したデータパケットに対する応答信号が通知される。これ以降の処理をここから子細に記す。
【０１２８】
送信装置１４００（端末）は、受信ＲＦ部１２０の出力先に、再送制御情報抽出部１４０１が設けられている。再送制御情報抽出部１４０１は、通信相手である受信装置から送信された応答信号を抽出する（ステップＳＴ１０７）。
【０１２９】
応答信号は、送信装置１４００（端末）が以前に送信したデータパケットが通信相手において誤りなく受信されたか否かを示す。また応答信号は、以前に送信したデータパケットが誤りなく受信されたのであればＡＣＫ（確認応答）を、誤って受信されたのであればＮＡＣＫ（否定応答）を表す。この応答信号を抽出することで、ＨＡＲＱにおける再送が必要であるか否かを判断することができる。
【０１３０】
応答信号が否定応答であるということは、通信相手から、送信装置１４００（端末）が以前に送信したデータパケットの再送が要求されていることを意味する。また、応答信号が確認応答であるということは、送信装置１４００（端末）が、新しいデータパケットを送信して良いということを意味する。再送制御情報抽出部１４０１は、この応答信号の種類を判別する（ステップＳＴ１０８）。
【０１３１】
再送制御情報抽出部１４０１は、応答信号の種類が否定応答であった場合、ステップＳＴ１０９に移って、同じデータパケットに対する否定応答が連続して通知された回数、すなわち、再送が受信装置から何回要求されたかを示す再送回数Ｋｒを計算（再送回数Ｋｒをインクリメント）する。再送制御情報抽出部１４０１は、計算した再送回数Ｋｒを、サブキャリア割当制御部１２４−１に出力する。続くステップＳＴ１１０において、パケット生成部１４０２は、前回生成したのと同じデータパケットを再度、符号化部１０１に出力する。
【０１３２】
これに対して、再送制御情報抽出部１４０１は、応答信号の種類が確認応答であった場合、ステップＳＴ１０８からステップＳＴ１０２に移って、再送回数Ｋｒを０にリセットする。
【０１３３】
図２６のフローチャートに、パケット生成部１４０２で行われる処理の一部を示す。また、図２７に、パケット生成部１４０２の内部の構成を示す。以下、図２６及び図２７を用いて、パケット生成部１４０２の構成及び動作を説明する。
【０１３４】
パケット生成部１４０２は、内部にデータ入出力制御部１４２１、送信バッファ部１４２２及び誤り検査符号生成部１４２３を備えている。パケット生成部１４０２には、再送制御情報抽出部１４０１からの応答信号と、ＭＣＳ制御部１２２からの符号化率及び変調多値数情報と、送信データが入力される。パケット生成部１４０２は、ステップＳＴ２０１から動作を開始してパケット生成処理を行う。以下に各ステップにおけるパケット生成部の動作を説明する。
【０１３５】
ステップＳＴ２０２：  送信データから新規のデータパケットを生成して出力する。このとき出力されるパケットを、以後「新規パケット」とよぶ。
【０１３６】
まず、データ入出力制御部１４２１が、ＭＣＳ制御部１２２から入力された符号化率及び変調多値数、周波数リソース割当情報抽出部１２３から入力された周波数リソース割当情報に基づいて、１回のパケット伝送で送信可能なビット数を計算し、計算結果を入力指示信号として送信バッファ部１４２２に出力する。
【０１３７】
送信バッファ部１４２２は、入力指示信号に従って、図示しない内部メモリに保持されていたパケットを一旦消去して後、送信可能なビット数の送信データを取り込み、新たに図示しない内部メモリに保存する。また、送信バッファ部１４２２は、送信可能なビット数の送信データを誤り検査符号生成部１４２３に出力する。
【０１３８】
誤り検査符号生成部１４２３は、送信データから受信側で誤り検出を行うための誤り検査符号を生成し、生成した誤り検査符号を送信バッファ部１４２２に出力する。誤り検査符としては、巡回冗長検査（ＣＲＣ：Cyclic Redundancy Check）を用いる方法等が挙げられる。
【０１３９】
次に、送信バッファ部１４２２は、誤り検査符号が入力されると、内部のメモリに保持された送信データの末尾に誤り検査符号を付加して１つのパケットを生成し、生成したパケットを符号化部１０１に出力する。ここで出力された新規パケットに対して、符号化部１０１以降に接続された各部を用いて、後に説明する無線送信処理を施すことにより、送信装置１４００（端末）による１回のパケット送信処理が行われる。
【０１４０】
また、送信バッファ部１４２２は、生成したパケットを、符号化部１０１に出力した後も消去せずに、図示しない内部メモリに保存しておく。以上のようにして、誤り検査符号の付加された送信データが、新規パケットとして出力され、かつ再送に備えて送信バッファ部１４２２に保存される。
【０１４１】
ステップＳＴ２０３：データ入出力制御部１４２１が、応答信号の種類が確認応答であるか否定応答であるかを判別する。応答信号が確認応答であった場合には、再びステップＳＴ２０２の処理を行うことで新規のパケットを生成して出力する。また応答信号が否定応答であった場合には、次に記すステップ２０４の処理を行う。
【０１４２】
ステップＳＴ２０４：前回に符号化部１０１へと出力したものと同一のパケットを出力する（以降、これを再送パケットとよぶ）。
【０１４３】
データ入出力制御部１４２１が、送信バッファ部１４２２に保存されているパケットを、再び出力するための出力指示信号を送信バッファ部１４２２へと出力する。送信バッファ部１４２２は、出力指示信号に従って図示しない内部メモリに保持していたパケットを再送パケットとして符号化部１０１へと出力する。
【０１４４】
以降、パケット生成部１４０２は、ステップＳＴ２０３で確認応答が得られるまで、ステップＳＴ２０３−ＳＴ２０４−ＳＴ２０３のループを繰り返すことで、パケットの再送を繰り返す。
【０１４５】
符号化部１０１は、パケット生成部１４０２からデータパケットを入力すると、ＭＣＳ制御部１２２により指示された符号化率で、データパケットを誤り訂正符号化することで、符号パケットを生成する。
【０１４６】
符号パケットは、実施の形態１と同様にインターリーバ１０２、パーサ部１０３、第１のサブキャリア変調部１０４及び第２のサブキャリア変調部１０５を介して、第１のサブキャリア変調信号及び第２のサブキャリア変調信号へと変換され、サブキャリアマッピング部１１０に出力される（ステップＳＴ１０４）。
【０１４７】
サブキャリアマッピング部１１０は、第１のサブキャリア変調部１０４の出力及び第２のサブキャリア変調部１０５の出力をそれぞれ、サブキャリア割当制御部１２４−１からのサブキャリア割当制御情報に基づくサブキャリア配置にして、ＩＦＦＴ部１１１に出力する（ステップＳＴ１０５）。
【０１４８】
サブキャリアマッピング部１１０から出力されたサブキャリア変調信号は、実施の形態１と同様に、ＩＦＦＴ部１１１、ＣＰ付加部１１４、送信ＲＦ部１１５を介することで、パイロット信号と制御信号の多重、ＩＦＦＴ処理、ＣＰ付加、アップコンバート、送信電力制御等の所定の無線送信処理を施された後に、アンテナ１１６に送出される（ステップＳＴ１０６）。
【０１４９】
図２８に、サブキャリア割当制御部１２４−１によるサブキャリア割当の様子を示す。図２８では、第１のサブキャリア変調信号を、ローカライズ配置により、サブキャリアに配置した例を示す。図２８Ａは、入力されるサブキャリア変調信号が新規パケットに対応する場合の配置を示す。一方、図２８Ｂは、入力されるサブキャリア変調信号が、１回目の再送時の再送パケットに対応する場合の配置を示す。
【０１５０】
本実施の形態の最大の特徴は、この第１及び第２のサブキャリア変調信号を配置するサブキャリアを、再送回数に応じて変化させることにある。
【０１５１】
以降で、第１及び第２のサブキャリア変調信号の配置を、再送回数に応じて変化させる場合における、好適な配置方法の例を示す。説明のため、第１のサブキャリア変調信号を割り当てるサブキャリアのことを第１のサブキャリア群、第２のサブキャリア変調信号を割り当てるサブキャリアを第２のサブキャリア群と呼ぶ。また、第１のサブキャリア群に含まれるサブキャリア数をＮ１、第２のサブキャリア群に含まれるサブキャリア数をＮ２として、送信装置１４００（端末）が第１及び第２のサブキャリア群を割り当てることのできる、周波数軸上で連続した位置にあるサブキャリア数をＮ３とする。この場合、Ｎ１＋Ｎ２≦Ｎ３である。
【０１５２】
第１のサブキャリア変調信号をローカライズ配置でサブキャリアに配置する場合において、再送回数ごとのサブキャリア割当の変更方法の手法として、例えば以下の［手法１］［手法２］がある。
【０１５３】
［手法１］規定のパターンに従う手法： サブキャリア割当のパターンを、Ｎ１：Ｎ２の比率に対応させて、システムで複数規定しておく。そして、Ｎ１：Ｎ２の比率と再送回数Ｋｒとに応じて、複数用意したパターンの中の１つを選択する。この方式の利点として、送信装置では、Ｎ１：Ｎ２の比率と再送回数との情報だけあれば、第１のサブキャリア群と第２のサブキャリア群の配置を決定することができ、第１及び第２のサブキャリア群を、どのサブキャリアに割り当てるかを、受信装置から送信装置へと通知する必要が無いことが挙げられる。
【０１５４】
なお、初回の送信時（Ｋｒ＝０のとき）に、どのサブキャリア割当パターンを用いるかについては、例えば、初回のみ受信装置におけるチャネル品質の測定結果に従って、実施の形態１で説明した基準により選択する方法や、チャネル品質に依存せず規定のパターンを用いる方法が考えられる。
【０１５５】
チャネル品質の測定結果に従う方法を用いれば、サブキャリアごとの受信品質に応じて第１及び第２のサブキャリア群の割り当てが可能となるので、初回の送信時の受信品質を良好なものとし、再送の発生する確率を抑えることができる。一方、チャネル品質に依存せず、規定のパターンを用いる方法は、受信装置でチャネル品質の測定が必要となる頻度を抑えることができ、かつ受信装置から送信装置へのサブキャリア割当についての通知情報量を削減することができる。
【０１５６】
初回の送信時以降の、手法１におけるサブキャリア割当パターンの例を、（１）（Ｎ３／２）＜Ｎ１の場合と、（２）（Ｎ３／２）≧Ｎ１の場合とについて以下に示す。
【０１５７】
（１）（Ｎ３／２）＜Ｎ１の場合：この場合のサブキャリア割当の様子を、図２９Ａに示す。サブキャリア割当制御部１２４−１は、第１のサブキャリア群を、再送回ごとにできるだけ重複の少ないサブキャリアに配置する。このために、再送回数Ｋｒが偶数のときは、割当可能なサブキャリアのうち、周波数が最も高いサブキャリアから周波数が低いサブキャリアへと（又は周波数の最も低いサブキャリアから周波数の高いサブキャリアへと）連続したＮ１個のサブキャリアに第１のサブキャリア群を配置し、それを除いたサブキャリアに第２のサブキャリア群を配置する。
【０１５８】
図２９Ａには、再送回数Ｋｒが偶数のときに、周波数が最も高いサブキャリアから周波数が低いサブキャリアへと連続したＮ１個のサブキャリアに対して、第１のサブキャリア群を配置した例が示されている。再送回数Ｋｒが奇数のときは、割当可能なサブキャリアのうち、周波数が最も低いサブキャリアから周波数が高いサブキャリアへと（又は周波数が最も高いサブキャリアから周波数の低いサブキャリアへと）連続したＮ１個のサブキャリアに第１のサブキャリア群を配置し、それを除いたサブキャリアに第２のサブキャリア群を配置する。
【０１５９】
図２９Ａには、再送回数Ｋｒが奇数のときに、周波数が最も低いサブキャリアから周波数が高いサブキャリアへと連続したＮ１個のサブキャリアに対して、第１のサブキャリア群を配置した例が示されている。このように配置することで、再送時でも、第１のサブキャリア群が周波数軸で連続したサブキャリアにローカライズ配置されるので、ＰＡＰＲを抑圧できる。
【０１６０】
加えて、再送回数Ｋｒが偶数の場合と奇数の場合とで、重複して同一のサブキャリアに配置される第１のサブキャリア群のサブキャリア数を極力少なくできるので、再送による周波数ダイバーシチゲインを高めることができる。
【０１６１】
（２）（Ｎ３／２）≧Ｎ１の場合：この場合のサブキャリア割当の様子を、図２９Ｂに示す。第１及び第２のサブキャリア群を割当て利用可能なサブキャリア群を、等しい数のサブキャリアからなる周波数ブロックに分割する。周波数ブロックのサイズはＮ１以上とする。サブキャリア割当制御部１２４−１は、周波数ブロックのうち１つを再送回数Ｋｒごとに規定のパターンに従って選択し、そこに第１のサブキャリア群を連続して配置する。
【０１６２】
周波数ブロックの大きさが、Ｎ１と等しくできるようにＮ１の大きさを設定することが望ましいが、周波数ブロックの大きさよりもＮ１が小さい場合、周波数ブロックの中で周波数の高いサブキャリアまたは低いサブキャリアから順に、連続したＮ１個のサブキャリアに第１のサブキャリア群を割り当てる。また、第１のサブキャリア群を割り当てたサブキャリアを除いたサブキャリアに、第２のサブキャリア群を配置する。
【０１６３】
周波数ブロックの数がＮＢ個の場合、第１のサブキャリア群は再送ＮＢ回ごとに同じサブキャリアに割り当てられる。このように、周波数ブロック単位でのサブキャリア割当を行うことで、サブキャリア単位で割当を行うよりも、制御に要する情報量を少なくすることが可能である。加えて、ＮＢ回までの再送では、再送回ごとに重複しないサブキャリア配置に第２のサブキャリア群を配置することが可能となる。
【０１６４】
図３０Ａに、本実施の形態の新規パケット送信時の周波数リソース割当を、［手法１］に従って行った例を示す。また図３０Ｂに、図３０Ａで送信されたパケットが誤って受信された際の、再送パケット送信時の周波数リソース割当の例を示す。この例では、チャネルの時間変動がパケットを再送するまでの時間間隔に対して緩やかであり、チャネル品質がほとんど変化しない場合を示している。
【０１６５】
図３０Ａの新規送信時は、第２のサブキャリア変調信号が、平均的にチャネル品質の高いサブキャリアに割り当てられている。このため、第２のサブキャリア変調信号は良好な特性で受信することができる。一方、第１のサブキャリア変調信号の割り当てられているサブキャリアの中には、チャネル品質が極めて低くなっているサブキャリア（ヌルサブキャリア）が存在し、これが第１のサブキャリア変調信号として変調されている変調シンボルの受信特性を劣化させる要因となっている。
【０１６６】
第１のサブキャリア変調信号においては、キャリア変調部１０６からのＮ１個の出力に含まれる個々の変調シンボルの成分が、ＤＦＴ部１０７を介することで全てのＤＦＴ部出力（第１のサブキャリア群）に、ＤＦＴ演算子を乗算した形で含まれている。換言すると、第１のサブキャリア変調信号の１つのサブキャリアには、Ｎ１個の変調シンボルの信号成分が含まれている。
【０１６７】
すなわち、第１のサブキャリア変調信号は、１つのサブキャリアのチャネル品質が劣悪であると、Ｎ１個の全ての変調シンボルの受信品質が平均的に低下する。第１のサブキャリア変調信号については、受信装置においてＺＦ規範又はＭＭＳＥ規範の周波数領域等化を適用することによってマルチパス干渉を抑圧しながら、個別の変調シンボルを抽出するが、周波数領域等化の際に品質の劣悪であるサブキャリアが存在すると、等化後の残留マルチパス干渉が増大するので、複数の変調シンボルの受信品質が低下する。
【０１６８】
ここで、第２のサブキャリア変調信号は、キャリア変調部１０８からのＮ２個の出力に含まれる個々の変調シンボルの成分が、個々のＳ／Ｐ部出力へと１対１でマッピングされている。このため、第２のサブキャリア変調信号は、１つのサブキャリアのチャネル品質が劣悪であっても、そのサブキャリアによって受信品質が低下するのはＮ２個のうち１つの変調シンボルのみとなる。
【０１６９】
よって、もし再送時においてもサブキャリアの割当を変更せず、図３０Ａと同じ配置で再送を行った場合、第１のサブキャリア変調信号については受信品質の悪い受信信号同士を合成することとなってしまい、合成による特性改善が限定的なものとなってしまう。
【０１７０】
これに対して、本実施の形態では、図３０Ｂのようにサブキャリア割当を変更して再送するため、第１のサブキャリア変調信号が良好なチャネル品質のサブキャリアに割り当てられ、第１のサブキャリア変調信号は初回の送信時よりも良好な特性で受信される。
【０１７１】
一方で第２のサブキャリア変調信号は、一部がヌルサブキャリアとなってしまっているものの、初回の送信だけでも良好な特性で受信されている。よって、受信装置において後述する方法によって、初回の送信パケットと再送パケットとを合成することで、第１サブキャリア変調信号と第２のサブキャリア変調信号それぞれに対応する符号ビットの、合成後の受信品質のばらつきを減らすことができる。この結果として、誤り訂正復号後、パケットに誤りが含まれる確率を減らすことができる。
【０１７２】
また、実施の形態１で説明したように、第１のサブキャリア変調信号及び第２のサブキャリア変調信号におけるキャリア変調部１０６及びサブキャリア変調部１０８でのＭＣＳ設定を、第１のサブキャリア変調信号の受信特性を基準に決定する手法を適用してもよい。
【０１７３】
この場合、再送によりサブキャリア割当が変更されたために、第２のサブキャリア変調信号に割り当てられるチャネル品質が劣化したとしても、第１及び第２のサブキャリア変調信号の受信特性を比較した場合、第２のサブキャリア変調信号の受信特性が第１のサブキャリア変調信号の受信特性よりも良好になる確率が高くなるため、再送時のサブキャリア割当を変更したことによる特性改善効果が損なわれることはない。
【０１７４】
これは、次のような理由からである。すなわち、第１のサブキャリア変調信号に対応する受信信号は、チャネル推定誤差の影響等で、周波数領域等化を用いても除去しきれないマルチパス干渉の影響を受け易く、受信特性が劣化し易い。特に、変調方式における変調多値数が大きいほど、その影響を受け易い。そのため、チャネル品質が同程度で、同じ変調多値数を用いて、第１及び第２のサブキャリア変調信号の受信特性を比較した場合、第２のサブキャリア変調信号の受信特性が第１のサブキャリア変調信号の受信特性よりも良好になる確率が高い。これは特に、１６ＱＡＭや６４ＱＡＭなどの高多値変調を用いた場合に顕著である。
【０１７５】
よって、第１のサブキャリア変調信号の受信特性を基準にＭＣＳを設定することで、再送パケット単体での受信特性が良好となるようにできる。そしてさらに、異なるサブキャリア割当で送信された以前のパケットと合成することで、合成後の受信品質のばらつきを減らし、良好な受信特性が得られる。
【０１７６】
なお、チャネルの時間変動がパケットを再送するまでの時間間隔に対して十分に高速であり、再送ごとのチャネルの相関が低い場合には、サブキャリアの割当を再送ごとに変更せずとも、第１のサブキャリア変調信号と第２のサブキャリア変調信号それぞれに対応する符号ビットの合成後の受信品質のばらつきが、チャネル相関の高い場合と比べて低減されるため、［手法１］を用いることによる特性改善効果は薄れる。しかしこの場合でも、［手法１］を用いることによる劣化要因はない。
【０１７７】
［手法２］実施の形態１で説明したように、送信データのＱｏＳを考慮した周波数リソース割当を行う。［手法２］によるサブキャリア割当の様子を、図３１Ａ及び図３１Ｂに示す。品質を優先させる場合と、レートを優先させる場合とで、再送時の、第１及び第２のサブキャリア変調信号のサブキャリア割当を次に記すように変更する。これによって実施の形態１に記したのと同様の効果が得られる。
【０１７８】
品質を優先させる場合には、図３１Ａに示すように、チャネル品質が良好なサブキャリアに第１のサブキャリア変調信号を優先的に割当て、残りのサブキャリアに第２のサブキャリア変調信号を割り当てる。第１のサブキャリア変調信号はマルチパス干渉による特性の劣化が第２のサブキャリア変調信号よりも大きいため、その第１のサブキャリア変調信号をチャネル品質が良好なサブキャリアに優先的に割り当てることで、マルチパス干渉による特性の劣化を抑圧して高い受信品質が得られる。
【０１７９】
レートを優先させる場合には、図３１Ｂに示すように、チャネル品質が良好なサブキャリアに、第２のサブキャリア変調信号を優先的に割当て、残りのサブキャリアに第１のサブキャリア変調信号を割り当てる。第２のサブキャリア変調信号はマルチパス干渉による特性の劣化が少なく高多値変調の適用によるレート増大効果が高いため、第２のサブキャリア変調信号をチャネル品質が良好なサブキャリアに割り当てることで、高多値変調を適用して高い伝送レートを得ることができる。
【０１８０】
上記構成は、チャネルの時間変動がパケットを再送するまでの時間間隔に対して十分に高速であり（すなわち、チャネルの時間相関がパケットの送信間隔に対して短く、各パケットの送信されるチャネルの相関が低い場合）、チャネル変動に追従してチャネル品質測定情報が受信装置から送信される場合に、特に有効である。
【０１８１】
本実施の形態の受信装置の構成を、図３２に示す。なお、図３２の各部において、図３との対応部分には図３と同一の符号を付して示す。受信装置１５００（基地局）は、通信システムの基地局に設けられ、送信装置１４００（端末）から送信された信号を受信復調する。
【０１８２】
まず受信装置１５００（基地局）の受信系について説明する。
【０１８３】
受信装置１５００（基地局）で行われる、アンテナ２０１からデインターリーバ２１９までの一連の処理は、実施の形態１と同様であるため詳細な説明は省略するが、特に本実施の形態では、これらの受信処理がパケット単位で行われることが前提となっている。そのため、デインターリーバ２１９の出力である符号ビット毎の軟判定尤度値も、受信したパケット単位で一括して出力される。なお、本実施の形態において以降で説明する処理も全てパケット単位で行われる。
【０１８４】
パケット合成部１５０１には、デインターリーバ部２１９の出力である、今回の受信処理で受信したパケットの軟判定尤度値が入力される。またパケット合成部１５０１には、受信バッファ部１５０２の出力である、前回までに累積したパケットの軟判定尤度値も入力される。ただし、受信バッファ部１５０２からは、前回に受信したパケットに誤りが検出された場合にのみ、すなわち今回受信したパケットが再送パケットである場合にのみ入力されるようになっている。
【０１８５】
図３４Ｂに示すパケット合成部１５０１は、入力検出部１５１１、切り替え部１５１２及び加算部１５１０を備える。パケット合成部１５０１は、今回受信したパケットの軟判定尤度値と、前回までに累積したパケットの軟判定尤度値がともに入力された場合に、以下の合成処理１を行う。一方、パケット合成部１５０１は、今回受信したパケットの軟判定尤度値のみ入力された場合に、以下の合成処理２を行う。
【０１８６】
合成処理１：  この場合、今回受信したパケットは再送パケットであるので、今回受信したパケットの軟判定尤度値と、前回までに累積された軟判定尤度値とを、パケットに含まれる符号化ビット単位で加算することで合成する。合成処理１の場合、入力検出部１５１１は、受信バッファ部１５０２から前回までの軟判定尤度値が入力されていることを検出する。入力検出部１５１１は軟判定尤度値が入力されていることを検出すると、切り替え部１５１２の状態を、位置Ａに切り替える。これにより、今回の受信処理で受信したパケットの軟判定尤度値と前回までに累積された軟判定尤度値とが加算器１５１０において合成される。合成されたパケットの軟判定尤度値は、復号部２２０及び受信バッファ部１５０２に出力される。
【０１８７】
合成処理２：  この場合、今回受信したパケットは新規パケットであるので、今回受信したパケットの軟判定尤度値を、そのまま復号部２２０及び受信バッファ部１５０２に出力する。つまり、この場合、パケット合成は行わない。合成処理２の場合、受信バッファ部１５０２から入力検出部１５１１には何も入力されない。この場合、入力検出部１５１１は、切り替え部１５１２の状態を、位置Ｂに切り替える。これにより、今回の受信処理で受信したパケットの軟判定尤度値だけが復号部２２０及び受信バッファ部１５０２に出力される。
【０１８８】
復号部２２０は、パケット合成部１５０１で合成されたパケットに含まれる、ビット毎の軟判定尤度値を基に、復号処理を行う。復号部２２０によって復号されたデータパケットは、誤り検出部１５０３及び受信データ出力部１５０４に送出される。
【０１８９】
誤り検出部１５０３は、送信装置１４００（端末）のパケット生成部１４０２で付加された誤り検査符号を用いて、復号したデータパケットに誤りが含まれるかどうかを判定する。誤り検出部１５０３は、復号したデータパケットに誤りが検出された場合は応答信号として否定応答を、誤りが検出されなかった場合には確認応答を生成する。誤り検出部１５０３は、生成した応答信号を、受信バッファ部１５０２、受信データ出力部１５０４、再送制御情報生成部１５０５に送出する。
【０１９０】
受信バッファ部１５０２は、パケット合成部１５０１から今回までのパケットの軟判定尤度値が入力されると、これを内部のメモリに保存する。その後、誤り検出部から応答信号として確認応答が入力されると、メモリに保存した軟判定尤度値を破棄する。また、応答信号として否定応答が入力された場合は、軟判定尤度値をそのまま保持しておく。保持しておいた今回までパケットの軟判定尤度値は、次回のパケットの軟判定尤度値がデインターリーバ２１９から出力された際に同時に、パケット合成部１５０１に出力する。メモリに何も保持されていない場合には、何も出力しない。
【０１９１】
受信データ出力部１５０４は、誤り検出部１５０３から応答信号として確認応答が入力されると、復号部２２０から入力されたデータパケットのうち送信データに対応する部分を受信データとして出力する。応答信号として否定応答が入力された場合は、何も出力しない。以上のようにして、送信装置１４００（端末）から誤りなく伝送されたデータだけが、受信データとして出力される。
【０１９２】
次に、受信装置１５００（基地局）の送信系について説明する。
【０１９３】
再送制御情報生成部１５０５には、誤り検出部１５０３からの応答信号が入力される。再送制御情報生成部１５０５は、応答信号として否定応答が何回連続して入力されたかを示す再送回数Ｋｒを計算する。再送制御情報生成部１５０５は、再送回数Ｋｒを周波数リソース割当制御部２１０に、応答信号を符号化部２２１にそれぞれ送出する。
【０１９４】
周波数リソース割当制御部２１０は、チャネル品質測定部２０７からのサブキャリア毎のチャネル品質情報と再送回数Ｋｒに基づいて、どのサブキャリアに、第１及び第２のサブキャリア変調部１０４、１０５のどちらの出力を割り当てるかを制御する。すなわち、ここで決定された周波数割当情報が、実施の形態１と同様にして図２３の送信装置１４００（端末）に送信され、この周波数割当情報に基づいて、送信装置１４００（端末）において第１及び第２のサブキャリア変調部１０４、１０５の出力がどのようにサブキャリアに配置されるかが制御される。また、周波数リソース割当情報は、周波数リソース割当情報記憶部２１１に記憶され、送信装置１４００（端末）から次に送信されるパケットを受信する際の、第１のサブキャリア変調信号と第２のサブキャリア変調信号との分離に用いられる。
【０１９５】
以上のようにして、送信装置１４００（端末）と受信装置１５００（基地局）との間で、ＨＡＲＱの再送回数に応じてサブキャリア割当を変更したパケットの再送が可能となる。本実施の形態では、サブキャリア割当の変更により、パケット合成部出力であるパケットの軟判定尤度値について、第１のサブキャリア変調信号へと割り当てられたビットと第２のサブキャリア変調信号へと割り当てられたビットの間の受信品質のバラつきを減らすことができ、誤り訂正復号後の受信特性の改善が見込まれる。
【０１９６】
なお、本実施の形態では図２３の送信装置１４００（端末）のサブキャリア割当制御部１２４−１の動作を再送回数Ｋｒに応じて可変とすることで、第１のサブキャリア変調信号に割り当てられたビットと第２のサブキャリア変調信号に割り当てられたビットの間の受信品質のバラつきを低減した。
【０１９７】
一方で別の形態として、サブキャリア割当を固定として、インターリーバ１０２及びデインターリーバ２１９の動作に用いるインターリーブパターンを再送回数Ｋｒに応じて可変としてもよい。具体的には、再送回数に応じてインターリーバ１０２のインターリーブパターンを可変制御するインターリーバ制御部を設ける。このようにすれば、結果として符号化部１０１出力のビットが再送回ごとに異なるサブキャリアへと割り当てられることとなるため、パケット合成部出力の軟判定尤度値におけるビット間の信頼性のバラつきを低減し、受信特性を改善することができる。
【０１９８】
この構成の場合、先に述べた構成と比べて装置が簡素で済む。なぜなら、インターリーブパターンは再送回数Ｋｒのみに対応させて必要数用意しておけばよいが、サブキャリア割当パターンは再送回数ＫｒとＮ１：Ｎ２の組み合わせに対応させて必要数用意しなければならないからである。
【０１９９】
一方で、インターリーバを変更する方法は、個別のサブキャリアの受信品質に応じた柔軟なサブキャリア配置が困難となるため、再送時のパターン変更による品質改善の度合いは限定的なものとなる。
【０２００】
また、本実施の形態では、図３２の受信装置１５００（基地局）のパケット合成部１５０１において、受信したパケットに含まれる軟判定尤度を、再送回に関係なく単に加算する場合について説明したが、パケット毎の受信品質に応じて重み付けをしてから加算することがより望ましい。すなわち、受信品質の高いパケットについては高い重み付け係数を、受信品質の低いパケットについては小さい重み付け係数をパケットの軟判定値に乗算してから加算する。
【０２０１】
受信品質の指標としては、チャネル品質測定部２０７で測定される、パケットの平均受信ＳＩＮＲなどが挙げられる。図示しないが、平均受信ＳＩＮＲをパケット合成部１５０１に入力し、平均受信ＳＩＮＲに比例する重み付けをしてからパケットを加算する場合は、各パケットを最大比合成するのと同様の効果が得られる。
【０２０２】
さらに、本実施の形態ではＨＡＲＱの方式としてＣＣ方式を用いた場合について説明を行ったが、別の実施の形態としてＨＡＲＱの方式のうちＩＲ（Incremental Redundancy）方式を用いることも可能である。ＩＲ方式については非特許文献４などに記載されているため、詳細な説明は省略する。なお、広義にはＣＣ方式もＩＲ方式の一形態であるとされている（例えば、非特許文献５などを参照）。ＣＣ方式を用いる場合は、再送パケットとして初回の送信時と同一の符号化ビット列を送信したが、ＩＲ方式を用いる場合は、再送パケットとして初回の送信時とは異なる符号化ビット列を送信してもよい。
【０２０３】
ＩＲ方式における再送パケットを構成する符号化ビット列には、前回までに送信したものと同一のビットと、新たに追加されたビット（パリティビットなど）とが含まれ、その代わりに前回までに送信したビットの一部は含まれない。よって、パケット合成部１５０１においてパケットの軟判定尤度値を合成する際には、合成するパケットの双方に同一のビットが含まれる場合にはその軟判定尤度値を加算して出力し、一方のパケットにしか含まれないビットについては、当該ビットの対数尤度値をそのまま出力する。一般には、ＩＲ方式は、新たな符号化ビットを追加して送信することにより、ＣＣ方式よりも優れた受信品質を得ることができる（非特許文献４などを参照）。
【０２０４】
（実施の形態７）
本実施の形態では、第１及び第２のサブキャリア変調信号が混在した信号を送信する送信装置を基地局に設けた場合の、ＨＡＲＱの機能を持たせた構成を説明する。
【０２０５】
以下では、実施の形態６と異なる構成部分のみ説明する。
【０２０６】
図３３には、図１、図８及び図２３との対応部分に同一符号を付して、本実施の形態の送信装置１６００の構成を示す。送信装置１６００は、基地局に設けられている。
【０２０７】
送信装置１６００のチャネル品質情報抽出部１２１は、受信装置（端末）から送信されたチャネル品質情報を受信信号から抽出する。また、再送制御情報抽出部１４０１は、受信装置から送信された応答信号を基に、再送回数を計算する。
【０２０８】
サブキャリア割当制御部１２４−２は、チャネル品質情報を基に、送信装置１６００が送信帯域中のどのサブキャリアを用いて送信するかを決定する。加えて、サブキャリア割当制御部１２４−２は、チャネル品質情報と再送回数を基に、第１のサブキャリア変調信号及び第２のサブキャリア変調信号を割り当てるサブキャリア配分を決定し、その結果をパーサ部１０３及びサブキャリアマッピング部１１０に出力する。
【０２０９】
図３４Ａには、図３、図９及び図３２との対応部分に同一符号を付して、本実施の形態の受信装置の構成を示す。受信装置１７００は、端末に設けられている。
【０２１０】
本実施の形態では、再送回数に応じたサブキャリア割当は、図３３の送信装置１６００（基地局）で決定されて受信装置１７００（端末）に通知される。このため受信装置１７００（端末）では、周波数リソース割当情報抽出部６０１は、送信装置１６００から送信されたサブキャリア割当情報を抽出する。次に、サブキャリアデマッピング２０８は、抽出したサブキャリア割当情報に基づいて、第１のサブキャリア変調信号が割り当てられたサブキャリア群と第２のサブキャリア変調信号が割り当てられたサブキャリア群とを分離すればよい。
【０２１１】
本実施の形態によれば、実施の形態６と同様の効果を得ることができる。
【０２１２】
なお、以上の本実施の形態では受信装置１７００（端末）で観測されるチャネル品質情報に基づいて送信装置１６００（基地局）でサブキャリア割当を制御するために、チャネル品質情報を受信装置１７００（端末）から送信装置１６００（基地局）へと通知している。ここで通知信号によるオーバーヘッドを削減するために、端末から基地局へと通知するチャネル品質情報を、例えば使用するサブキャリア群全体の平均受信ＳＩＮＲなどのＭＣＳの決定に必要最小限な情報に留める形態や、あるいはＭＣＳそのものを通知してチャネル品質情報を通知しないといった形態も考えられる。このような場合であっても、再送回数に応じてサブキャリア割当を変更することで、第１及び第２のサブキャリア変調信号が割り当てられるサブキャリア群の受信品質が、それぞれのサブキャリア群だけで観測すると再送回ごとに大きく変動するので、受信装置１７００（端末）において受信品質に応じた重み付けをした上で軟判定尤度の合成を行うことで、受信特性を改善することができる。
【０２１３】
（実施の形態８）
本実施の形態では、ＨＡＲＱの方式のうちＩＲ方式を適用し、かつ符号ビットの重要度に応じて、各符号ビットに対応する変調シンボルを第１及び第２のサブキャリア変調信号へと振り分ける構成について説明する。
【０２１４】
図３５には、図１及び図２３との対応部分に同一符号を付して、本実施の形態の送信装置１８００の主要部の構成を示す。図３５では、本実施の形態で新たに提案する構成の周辺部分のみを示し、それ以外の構成は図２３と同一のものとして省略して示してある。
【０２１５】
パケット生成部１４０２は、送信データ、符号化率及び変調多値数から、応答信号として確認応答が入力された場合は新規パケットを、否定応答が入力された場合は再送パケットを生成して符号化部１８０１に出力する。
【０２１６】
符号化部１８０１は、データパケットを符号化して符号パケットを生成し、パンクチャ部１８０２に出力する。符号パケットは、データパケットと同一の値を示すシステマティックビットと、データパケットに対して畳み込み符号化やブロック符号化を適用することによって生成されるパリティビットの２種類のビット系列から構成されている。誤り訂正符号としてターボ（Ｔｕｒｂｏ）符号を用いる場合は、符号化率ｒ＝１／３のＴｕｒｂｏ符号化を行うとよい。例えばｒ＝１／３のＴｕｒｂｏ符号を用いた場合は、１つのシステマティックビット系列と、２つの異なるパリティビット系列が生成され、パンクチャ部１８０２に出力される。
【０２１７】
パンクチャ部１８０２は、ＭＣＳ制御部１２２から入力された符号化率と再送制御情報抽出部１４０１から入力された再送回数Ｋｒを用いて、符号パケットに対してパンクチャリングを行い、パンクチャ後の信号をパーサ部１８０３に出力する。パンクチャ部１８０２は、符号パケットから除去するパンクチャビットの選択パターンは、再送回数Ｋｒによって変化させる。
【０２１８】
符号化方式にＴｕｒｂｏ符号を用いる場合の、パンクチャビットの選択パターンは、非特許文献６などに示されている。また符号化方式にＬＤＰＣ符号を用いる場合のパンクチャビットの選択パターンは、非特許文献７などに示されている。
【０２１９】
また、再送ごとのチャネル受信品質の変動が大きい場合には、ＭＣＳ制御部１２２によって決定される符号化率を再送回ごとに変化させてもよい。
【０２２０】
上記の符号化率の変化によって、結果的にパンクチャビットの選択パターンが変化することとなる。このように、前回までに送信していなかったパンクチャビットを新たに送信することで、一般にＩＲ方式ではＣＣ方式よりも良好な特性が得られる。
【０２２１】
パーサ部１８０３は、サブキャリア割当制御部１２４−１からの配分情報に基づいて、入力された符号パケットを構成するビット列をインターリーバ１８０４−１又はインターリーバ１８０４−２のいずれかに出力する。このときパーサ部１８０３は、再送回数Ｋｒ＝０のときは符号パケットのうちシステマティックビットを優先的にインターリーバ１８０４−２に出力する。これに対して、Ｋｒ＞０のときはパリティビットを優先的にインターリーバ１８０４−２に出力する。
【０２２２】
インターリーバ１８０４−１は入力された符号化ビット列を所定のインターリーブパターンでインターリーブし、インターリーブ後のデータを第１のサブキャリア変調部１０４に出力する。同様に、インターリーバ１８０４−２は入力された符号化ビット列を所定のインターリーブパターンでインターリーブし、インターリーブ後のデータを第２のサブキャリア変調部１０５に出力する。
【０２２３】
以上の構成を採ることで、再送回数Ｋｒ＝０のときはシステマティックビットを優先的に第２のサブキャリア変調信号に割り当てて送信することができる。よって、第２のサブキャリア変調信号の受信品質が第１のサブキャリア変調信号よりも良好である特性を利用し、情報として重要度の高いシステマティックビットの受信品質を高め、送信信号全体の受信品質を高めることができる。
【０２２４】
また、再送回数Ｋｒ＞０のときはパリティビットを優先的に第２のサブキャリア変調信号に割り当てて送信することができる。よって、再送のために新規に生成されたパリティビットの受信品質を高めることで、送信信号全体の受信品質を高めることができる。因みに、Ｋｒ＞０のときは、システマティックビットは既に１回以上送信されているため、第２のサブキャリア変調信号に割り当てて送信したとしても受信品質改善の効果が相対的に低い。
【０２２５】
図３６には、図３及び図３２との対応部分に同一符号を付して、本実施の形態の受信装置１９００の主要部の構成を示す。図３６では、本実施の形態で新たに提案する構成の周辺部分のみを示し、それ以外の構成は図３２と同一のものとして省略して示してある。
【０２２６】
デインターリーバ１９０１−１は、第１の尤度重み付け部２１４から入力された軟判定尤度値を、所定のインターリーブパターンでデインターリーブし、デインターリーブ後の信号をデパーサ部１９０２に出力する。同様に、デインターリーバ１９０１−２は、第２の尤度重み付け部２１７から入力された軟判定尤度値を、所定のインターリーブパターンでデインターリーブし、デインターリーブ後の信号をデパーサ部１９０２に出力する。
【０２２７】
デパーサ部１９０２は、周波数リソース割当情報記憶部２１１からの周波数リソース割当情報と、再送制御情報記憶部１９１２に記憶された再送制御情報を用いて、送信装置１８００のパーサ部１８０３と逆の操作を行う。これによって、デパーサ部１９０２は、第１及び第２の尤度重み付け部２１４、２１７から入力された軟判定尤度値を、シリアル信号とする。デパーサ部１９０２は、シリアル信号とした符号化パケットの軟判定尤度値を、パケット合成部１９１０に出力する。
【０２２８】
以下、パケット合成部１９１０の内部の構成について説明する。
【０２２９】
パケット合成部１９１０は、新たに受信した再送パケットと、以前に受信して受信バッファ部１５０２に累積されているパケットの軟判定尤度値にそれぞれ異なる重み付けを行ってから、合成して出力する。重み付けは、尤度重み付け決定部１９１６が、チャネル品質測定部２０７から入力されたチャネル品質情報を用いて決定し、重み係数を尤度重み付け部Ａ（１９１３）及び尤度重み付け部Ｂ（１９１４）に出力することで行う。以前のパケット受信時の平均のチャネル品質と比較して、今回新たに受信したパケットのチャネル品質が良好であれば、尤度重み付け部Ａ（１９１３）に相対的に高い重み付け係数を出力し、尤度重み付け部Ｂ（１９１４）に小さい重み付け係数を出力する。逆に、今回新たに受信したパケットのチャネル品質が相対的に劣悪であれば、尤度重み付け部Ａ（１９１３）に尤度重み付け部Ｂ（１９１４）と比較して低い重み付け係数を出力する。
【０２３０】
デパンクチャ部１９１１は、再送制御情報記憶部１９１２に記憶された再送回数Ｋｒと、ＭＣＳ情報抽出部２０９から入力された符号化率とを用いて、デパーサ部１９０２から入力された符号化パケットをデパンクチャ処理し、デパンクチャ処理後の信号を尤度重み付け部Ａ（１９１３）に出力する。
【０２３１】
尤度重み付け部Ａ（１９１３）は、尤度重み付け決定部１９１６から入力された尤度重み付け係数を用いて、デパンクチャ部１９１１から入力された符号化パケットの軟判定尤度値を重み付けし、重み付け後の信号を尤度合成部１９１５に出力する。
【０２３２】
同様に、尤度重み付け部Ｂ（１９１４）は、尤度重み付け部Ａ（１９１３）から出力されている符号化パケットが再送パケットであるとき、尤度重み付け決定部１９１６から入力された重み付け係数を用いて、受信バッファ部１５０２から入力された符号化パケットの軟判定尤度値を重み付けし、重み付け後の信号を尤度合成部１９１５に出力する。なお、尤度重み付け部Ａ（１９１３）から出力されている符号化パケットが新規パケットであるときは、実施の形態６に記したとおり、受信バッファ部１５０２から尤度重み付け部Ｂ（１９１４）には何も入力されず、尤度重み付け部Ｂ（１９１４）は何も出力しない。
【０２３３】
以上の構成によって、受信品質の良好なパケットには軟判定尤度値の信頼性を高める重み付け行うことができる。
【０２３４】
尤度合成部１９１５は、尤度重み付け部Ａ（１９１３）からのみ符号化パケットが入力された場合は、符号化パケットをそのまま復号部２２０に出力する。また、尤度合成部１９１５は、尤度重み付け部Ａ（１９１３）と尤度重み付け部Ｂ（１９１４）の双方から符号化パケットが入力された場合は、それらの軟判定尤度値をビット単位で加算し加算結果を復号部２２０に出力する。
【０２３５】
復号部２２０は、入力された符号化パケットの軟判定尤度値を復号し、復号結果を受信データ出力部１５０４に出力する。受信データ出力部１５０４は、誤り検出部１５０３から確認応答が入力されると、受信データを出力する。
【０２３６】
以上、本実施の形態によれば、再送回ごとに重要な情報を含むビットを、相対的に良好な受信品質の期待される第２のサブキャリア変調信号に割り当てて送信するようにしたので、受信装置では良好な受信品質のパケットの軟判定尤度値を有効に利用し、復号後の受信品質を高めることができる。
【０２３７】
（実施の形態９）
本実施の形態では、実施の形態４で説明したＭＩＭＯ送信装置に、実施の形態６及び８で説明したＨＡＲＱの機能を持たせた構成について説明を行う。
【０２３８】
実施の形態４で説明したように、ＭＩＭＯ送信装置は複数のアンテナを有する。ここで、各アンテナから同時に独立したパケットを送信するＭＣＷ（Multiple CodeWord）構成と、全てのアンテナを利用して１つのパケットを送信するＳＣＷ（Single CodeWord）構成とが考えられる。
【０２３９】
図１４及び図２３との対応部分に同一符号を付して示す図３７に、ＭＣＷ構成に対応した本実施の形態の送信装置の構成を示す。また、図１４及び図２３との対応部分に同一符号を付して示す図３８に、ＳＣＷ構成に対応した本実施の形態の送信装置の構成を示す。図３７の送信装置２０００と、図３８の送信装置２１００は、いずれもｎ個の送信アンテナ１１６−１〜１１６−ｎを有し、ＭＩＭＯ通信を行う。
【０２４０】
図３７に示す、ＭＣＷ構成を採る送信装置２０００は、パケット生成部２５０２から送信ＲＦ部１１５に至る一連の送信ブロック２０００Ａ−１〜２０００Ａ−ｎが送信アンテナに対応するｎ組設けられている。そして、各送信ブロック２０００Ａ−１〜２０００Ａ−ｎそれぞれのパケット生成部２５０２には、独立して送信データが入力され、個別にパケット生成・符号化・変調といった一連の無線送信処理が施されてアンテナ１１６−１〜１１６−ｎから送信される。
【０２４１】
ＭＣＷ構成では、同時に複数のパケットが送信されるため、そのうちの１つのパケットだけに誤りが検出されるといった状況が想定される。この場合、次回の送信時には再送パケットと新規パケットが複数のアンテナを用いて同時に送信される。この際、実施の形態４で説明したように、複数アンテナを用いて空間多重された同一のサブキャリアについては、同一の種類（第１又は第２の）サブキャリア変調信号を送信することが好適である。これにより、受信装置において、空間多重された同一の種類のサブキャリア変調信号に対して空間多重分離手法を適用した場合、同一の種類のサブキャリア変調信号として第２のサブキャリア変調信号が空間多重されているので、ＭＬＤのような非線形な空間分離多重手法を適用できるようになる。
【０２４２】
加えて、アンテナごとに共通とする第１及び第２のサブキャリア群のサブキャリアへの割り当ては、同時に送信する複数のパケットのうち、再送回数Ｋｒの最も大きい再送パケットを送信するチャネルの受信特性を基準として決定するとさらに好ましい。このようにすることで、同時に送信されるパケットの中で特に再送パケットの受信品質を改善することができ、少ない再送回数で誤りのない伝送ができるようになる。
【０２４３】
一方、図３８に示す、ＳＣＷ構成を採る送信装置２１００は、パケット生成部１４０２と符号化部１０１が送信装置の中に１つだけ設けられている。そして、符号化部１０１から出力された符号化パケットが、パーサ部２１０１を介してｎ組の送信ブロック２１００Ｂ−１〜２１００Ｂ−ｎへと分配される。以降、パーサ部２１０１で分配された信号に対して個別にインターリーバ１０２〜送信ＲＦ部１１５によって一連の無線送信処理が施され、アンテナから送信される。ＳＣＷ構成の場合では、同時に複数のアンテナを用いて送信されるのは１つのパケットのみとなるため、再送パケットを送信する場合でも、実施の形態４と同様の基準でサブキャリアの割当を選択すればよい。
【０２４４】
（実施の形態１０）
図１、図１９及び図２３との対応部分に同一符号を付して示す図３９に、本実施の形態の送信装置２２００の主要部の構成を示す。送信装置２２００は、実施の形態５で説明した送信装置１３００と同様に送信電力制御情報抽出部１３０１を有する。加えて、送信装置２２００は、送信電力制御部２２０１を有する。送信電力制御部２２０１には、送信電力制御情報抽出部１３０１からの送信電力制御情報と、再送制御情報抽出部１４０１からの再送回数が入力されている。
【０２４５】
送信電力制御部２２０１は、受信装置から通知され送信電力制御情報抽出部１３０１によって抽出された送信電力制御情報を基に、基準送信電力Ｐ０を決定する。ここで、再送回数Ｋｒ＝０であれば、基準送信電力Ｐ０を送信電力情報として、これを送信ＲＦ部１１５及びサブキャリア割当制御部２２０２に送出する。またＫｒ＞０であれば、基準送信電力Ｐ０に、再送回数Ｋｒに応じた正の値を加算し、それを送信電力情報として送信ＲＦ部１１５及びサブキャリア割当制御部２２０２に送出する。このようにすることで、新規のパケットを送信する際には他の通信装置への干渉を抑えるために送信電力を低く設定して送信する一方、再送が必要となった場合のみ送信電力を増加させて通信が成功する確率を増やすことができる。
【０２４６】
サブキャリア割当制御部２２０２は、実施の形態５と同様に送信電力情報を基に、図２１に示した関係に従って、サブキャリア割当における第１及び第２のサブキャリア変調信号の比率を可変制御する。ここで、送信電力を１パケットに含まれる送信信号の瞬時電力の最大値であるピーク送信電力で規定するシステムでは、再送回数の増加に従って許容されるピーク送信電力が増加するため、ＰＡＰＲによる送信電力の制限が減少し、ＰＡＰＲの大きくなる第２のサブキャリア変調信号の比率を増やすことができる。これにより、再送の発生しないときには送信電力を低く設定して干渉を抑え、再送が発生したときには第２のサブキャリア変調信号の比率を増やして再送が成功する確率を増やすことができる。
【０２４７】
一方、送信電力を１パケットに含まれる送信信号の平均電力で規定するシステムでは、再送回数の増加に従って設定される平均送信電力が増加するため、ピーク送信電力と設定される平均電力との差が小さくなり、ＰＡＰＲのための送信電力のマージンが減少する。このとき基地局から離れたセルエッジなどで、送信電力のマージンがＰＡＰＲの最大値Ｄmaxを下回った際には、第１のサブキャリア変調信号の割合を増加させて第２のサブキャリア変調信号の割合を減少させるようにする。
【０２４８】
この処理は、チャネル品質情報抽出部１２１から得られるチャネルの周波数特性がフラットに近い場合など、第１のサブキャリア変調信号を等化した際の残留マルチパス干渉が少なく、第２のサブキャリア変調信号の割合が減少することによる受信品質の劣化よりも、第１及び第２のサブキャリア変調信号の平均送信電力が増加することによる受信品質の向上の方が大きい場合に有効である。あるいは、残留マルチパス干渉に対する耐性が比較的強い、多値数が小さいＢＰＳＫ、ＱＰＳＫを変調方式に用いる場合にも有効である。
【０２４９】
一方で、多値数の大きい１６ＱＡＭ、６４ＱＡＭを変調方式に用いる場合など、平均送信電力を増加させることによる品質向上よりも、第２のサブキャリア変調信号の割合が減少することによる品質低下の方が上回る場合には、第１及び第２のサブキャリア変調信号の比率を変更せずに、ＰＡＰＲの制限を満たす範囲で送信電力を増加させる処理を行うことが好適である。
【０２５０】
送信電力制御部２２０１による、再送回数と変調方式に基づく送信電力制御の一例を、図４０に示す。ここで、システムの規定や送信装置の能力によって決定されている、利用可能な最大の送信電力を最大送信電力と呼ぶ。残留マルチパス干渉に対する耐性が比較的強い、ＢＰＳＫ、ＱＰＳＫなどを変調方式に用いる場合は、図４０Ａのように、再送回数の増加に従って送信電力（平均送信電力またはピーク送信電力）の設定値を最大送信電力まで増加させることで、再送が成功する確率を増やす。
【０２５１】
一方で残留マルチパス干渉に対する耐性が比較的弱い１６ＱＡＭ、６４ＱＡＭなどを変調方式に用いる場合は、図４０Ｂのように、再送回数の増加に従って増加させる送信電力の最大値を、最大送信電力から一定のバックオフＤx（Ｄmin≦Ｄx≦Ｄmax）を取った値に設定する。このようにすることで、残留マルチパス干渉に対する耐性が弱い変調方式を用いる際には、送信電力に最大送信電力に対するバックオフを確保して、第２のサブキャリア変調信号の割合を一定以下に減らさない範囲で送信電力を増加させる。
【０２５２】
なおバックオフＤｘは、第２のサブキャリア変調信号の割合が減少することによる受信品質の劣化よりも、送信電力を増加させたことによる受信品質向上が上回る送信電力の最大値から決定する。
【０２５３】
上記の例に従って送信電力を設定したした際に、サブキャリア割当制御部２２０２によって決定される第２のサブキャリア変調信号の割合の例を、図４１に示す。ＢＰＳＫ、ＱＰＳＫなどの低変調多値数の変調方式を用いた際には、再送回数の増加に従って送信電力が増加するのとあわせて、第２のサブキャリア変調信号の割合を０％まで減少させる。一方で１６ＱＡＭや６４ＱＡＭなどの高変調多値数の変調方式を用いた際には、第２のサブキャリア変調信号の割合が一定以下にならない範囲で再送回数の増加に従って送信電力を増加させる。
【０２５４】
以上のように、本実施の形態によれば、再送の発生しないときは送信電力を低く抑えて干渉を低減し、再送が発生した際には、利用する変調方式に応じて受信品質が向上する最大の電力まで送信電力を増加させることにより、再送が成功する確率を高めることができる。
【０２５５】
（実施の形態１１）
図４２に、本発明の実施の形態１１に係る送信装置の構成を示す。送信装置２３００は、実施の形態１で説明した送信装置１００と同様に、端末に設けられ、上りリンク送信を行うものである。なお、本実施の形態の送信装置２３００は、実施の形態１で説明した送信装置１００と基本構成は同様である。本実施の形態の送信装置２３００は、複数のアンテナを備えている。図４２には、一例として、２つの送信アンテナを備えた構成が示されている。
【０２５６】
なお、以下では、実施の形態１と異なる構成部分のみ説明する。
【０２５７】
サブキャリアマッピング部１１０ａは、第１のサブキャリア変調部１０４の出力をサブキャリア割当制御部１２４からの制御情報に基づくサブキャリアに配置にして、ＩＦＦＴ部１１１ａへ出力する。
【０２５８】
サブキャリアマッピング部１１０ｂは、第２のサブキャリア変調部１０５の出力をサブキャリア割当制御部１２４からの制御情報に基づくサブキャリアに配置にして、ＩＦＦＴ部１１１ｂへ出力する。
【０２５９】
図４３に、サブキャリア割当制御部１２４及びサブキャリアマッピング部１１０ａ、１１０ｂによる、サブキャリア変調信号のマッピングの仕方の一例を示す。図４３Ａにサブキャリア割当制御部１２４における周波数領域割当結果を示し、図４３Ｂにサブキャリアマッピング部１１０ａのサブキャリアマッピング結果を示し、図４３Ｃにサブキャリアマッピング部１１０ｂのサブキャリアマッピング結果を示す。
【０２６０】
図４３Ａに示すように、サブキャリア割当制御部１２４は、第１のサブキャリア変調信号を割り当てるサブキャリア及び第２のサブキャリア変調信号を割り当てるサブキャリアを決定する。
【０２６１】
図４３Ｂに示すように、サブキャリアマッピング部１１０ａは、サブキャリア割当制御部１２４による第１のサブキャリア変調信号のサブキャリア割当情報を基に、第１のサブキャリア変調信号をサブキャリアにマッピングする。同様に、図４３Ｃに示すように、サブキャリアマッピング部１１０ｂは、サブキャリア割当制御部１２４による第２のサブキャリア変調信号のサブキャリア割当情報を基に、第２のサブキャリア変調信号をサブキャリアにマッピングする。
【０２６２】
ＩＦＦＴ部１１１ａには、サブキャリアマッピング部１１０ａからの第１のサブキャリア変調信号のデータ信号に加えて、制御信号生成部１１２からの制御信号と、パイロット信号生成部１１３からのパイロット信号と、が入力される。ＩＦＦＴ部１１１ａは、入力されたこれらの信号に対してＮｓ個のサイズのＩＦＦＴ処理を行う。
【０２６３】
ここで、受信側でチャネル推定のために用いるパイロット信号は、第１のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０２６４】
ＣＰ付加部１１４ａは、ＩＦＦＴ部１１１ａの出力信号にＣＰ（サイクリックプレフィクス：Cyclic Prefix）を付加する。送信ＲＦ部１１５ａは、ＣＰ付加部１１４ａから出力された信号に対して、アップコンバートや送信電力制御等の所定の無線送信処理を施し、処理後の信号をアンテナ１１６ａに送出する。
【０２６５】
一方、ＩＦＦＴ部１１１ｂには、サブキャリアマッピング部１１０ｂからの第２のサブキャリア変調信号のデータ信号に加えて、制御信号生成部１１２からの制御信号と、パイロット信号生成部１１３からのパイロット信号と、が入力される。ＩＦＦＴ部１１１ｂは、入力されたこれらの信号に対してＮｓ個のサイズのＩＦＦＴ処理を行う。
【０２６６】
ここで、受信側でチャネル推定のために用いるパイロット信号は、第２のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０２６７】
ＣＰ付加部１１４ｂは、ＩＦＦＴ部１１１ｂの出力信号にＣＰ（サイクリックプレフィクス：Cyclic Prefix）を付加する。送信ＲＦ部１１５ｂは、ＣＰ付加部１１４ｂから出力された信号に対して、アップコンバートや送信電力制御等の所定の無線送信処理を施し、処理後の信号をアンテナ１１６ｂに送出する。
【０２６８】
以上の構成により、送信装置２３００は、複数のアンテナ毎に異なるサブキャリア変調信号を送信することが可能となる。これにより、実施の形態１の送信装置１００と比較して、ＩＦＦＴ部１１１ａ、１１１ｂのそれぞれに入力されるサブキャリア数を低減することができる。これにより、ＩＦＦＴ部の出力信号で規定されるＰＡＰＲは、入力されるサブキャリア数が少なくなることで低減する性質をもつため、本実施の形態の構成によりＰＡＰＲの低減が可能となる。
【０２６９】
なお、制御信号生成部１１２からの制御信号は、ＩＦＦＴ部１１１ａ、あるいは、ＩＦＦＴ部１１１ｂのどちらか一方を用いて送信してもよい。
【０２７０】
図４２との対応部分に同一符号を付して示す図４４に、本実施の形態の送信装置の別の構成例を示す。なお、図４２では、第１及び第２のサブキャリア変調部１０４、１０５の前段側の構成は省略して示した。
【０２７１】
送信装置２４００は、第２のサブキャリア変調部１０５に、送信データのうち、重要データを入力する。一方、送信装置２４００は、第１のサブキャリア変調部１０４に、送信データのうち、重要度が高くない通常データを入力する。これにより、図４２で示した送信装置２３００の構成で得られる効果に加え、第２のサブキャリア変調信号の受信品質が、第１のサブキャリア変調信号よりも良好である特性を利用して、送信信号全体の受信品質を高めることができるといった効果を得ることができる。
【０２７２】
重要データとしては、制御信号がある。あるいはまた、誤り訂正符号化器（図４２における符号化部１０１）が、システマティック符号（ターボ符号又はＬＤＰＣ等）を用いる構成とされている場合には、システマティックビット（systematic bit）を重要データとして、優先的に第２のサブキャリア変調信号に割り当てて送信し、パリティビット（Parity bit）を通常データとして、第１のサブキャリア変調信号に割り当てて送信するとよい。
【０２７３】
なお、図４２では、一例として、送信装置２３００に１つの符号化部１０１を設けた場合を示したが、複数の符号化部を設け、例えば第１のサブキャリア変調信号と、第２のサブキャリア変調信号を別の符号化部によって符号化するようにしてもよい。これは、後述する他の実施の形態においても同様である。
【０２７４】
また、本実施の形態においては、実施の形態１で説明した受信装置２００（図３）、４００（図７）と同様な構成で受信の処理を行うことができる。
【０２７５】
（実施の形態１２）
図４５に、本発明の実施の形態１２に係る送信装置の構成を示す。実施の形態１で説明した送信装置１００と同様に、送信装置２５００は、端末に設けられ、上りリンク送信を行うものである。なお、本実施の形態の送信装置２５００は、実施の形態１で説明した送信装置１００と基本構成は同様である。本実施の形態の送信装置２５００は、複数のアンテナを備えている。図４５には、一例として、２つの送信アンテナを備えた構成が示されている。
【０２７６】
なお、以下では、実施の形態１と異なる構成部分のみ説明する。
【０２７７】
サブキャリアマッピング部１１０ａは、第１のサブキャリア変調部１０４の出力をサブキャリア割当制御部１２４からの制御情報に基づくサブキャリアに配置にして、ＩＦＦＴ部１１１ａへ出力する。
【０２７８】
サブキャリアマッピング部１１０ｃは、第２のサブキャリア変調部１０５の出力をサブキャリア割当制御部１２４からの制御情報に基づくサブキャリアに配置にして、サブキャリアマッピング制御部２５０１に出力する。
【０２７９】
図４６に、サブキャリア割当制御部１２４、サブキャリアマッピング部１１０ａ、１１０ｃ及びサブキャリアマッピング制御部２５０１による、サブキャリア変調信号のマッピングの仕方の一例を示す。図４６Ａにサブキャリア割当制御部１２４における周波数領域割当結果を示し、図４６ＢにＩＦＦＴ部１１１ａに入力されるサブキャリア信号を示し、図４６ＣにＩＦＦＴ部１１１ｃに入力されるサブキャリア信号を示す。
【０２８０】
図４６Ａに示すように、サブキャリア割当制御部１２４は、第１のサブキャリア変調信号を割り当てるサブキャリア及び第２のサブキャリア変調信号を割り当てるサブキャリアを決定する。
【０２８１】
図４６Ｂ及び図４６Ｃに示すように、サブキャリアマッピング制御部２５０１は、サブキャリアマッピング部１１０ｃの出力を所定の規則を基に分配して、ＩＦＦＴ部１１１ａ及びＩＦＦＴ部１１１ｃのそれぞれに出力する。ここで、所定の規則として、入力されるサブキャリア信号を特定の比率で分配して出力する規則を用いればよい。あるいは、所定の規則として、特定のサブキャリア数を基に分配して出力する規則を用いてもよい。
【０２８２】
ＩＦＦＴ部１１１ａには、サブキャリアマッピング部１１０ａからの第１のサブキャリア変調信号のデータ信号に加えて、サブキャリアマッピング制御部２５０１からの第２のサブキャリア変調信号のデータ信号と、制御信号生成部１１２からの制御信号と、パイロット信号生成部１１３からのパイロット信号と、が入力される。ＩＦＦＴ部１１１ａは、入力されたこれらの信号に対してＮｓ個のサイズのＩＦＦＴ処理を行う。
【０２８３】
ここで、受信側でチャネル推定のために用いるパイロット信号は、第１のサブキャリア変調信号がマッピングされるサブキャリアの一部あるいは全部と、サブキャリアマッピング制御部２５０１からの第２のサブキャリア変調信号がマッピングされるサブキャリアの一部あるいは全部と、に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０２８４】
ＣＰ付加部１１４ａは、ＩＦＦＴ部１１１ａの出力信号にＣＰ（サイクリックプレフィクス：Cyclic Prefix）を付加する。送信ＲＦ部１１５ａは、ＣＰ付加部１１４ａから出力された信号に対して、アップコンバートや送信電力制御等の所定の無線送信処理を施し、処理後の信号をアンテナ１１６ａに送出する。
【０２８５】
一方、ＩＦＦＴ部１１１ｃには、サブキャリアマッピング制御部２５０１からの第２のサブキャリア変調信号のデータ信号に加えて、制御信号生成部１１２からの制御信号と、パイロット信号生成部１１３からのパイロット信号と、が入力される。ＩＦＦＴ部１１１ｃは、入力されたこれらの信号に対してＮｓ個のサイズのＩＦＦＴ処理を行う。
【０２８６】
ここで、受信側でチャネル推定のために用いるパイロット信号は、第２のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０２８７】
ＣＰ付加部１１４ｃは、ＩＦＦＴ部１１１ｃの出力信号にＣＰ（サイクリックプレフィクス：Cyclic Prefix）を付加する。送信ＲＦ部１１５ｃは、ＣＰ付加部１１４ｃから出力された信号に対して、アップコンバートや送信電力制御等の所定の無線送信処理を施し、処理後の信号をアンテナ１１６ｃに送出する。
【０２８８】
なお、制御信号生成部１１２からの制御信号は、ＩＦＦＴ部１１１ａ、あるいは、ＩＦＦＴ部１１１ｃのどちらか一方を用いて送信してもよい。
【０２８９】
以上の構成により、送信装置２５００は、複数のアンテナを用いて、異なる周波数サブキャリアにマッピングされているサブキャリア信号を送信することが可能となる。また、送信装置２５００は、第１のサブキャリア変調信号に割り当てられたサブキャリア変調信号を、１つのアンテナから送信し、第２のサブキャリア変調信号に割り当てられたサブキャリア変調信号を、分配して異なるアンテナから送信する。これにより、ＩＦＦＴ部の出力信号で規定されるＰＡＰＲは、入力されるサブキャリア数が少なくなることで低減する性質を持つため、第１のサブキャリア変調信号の低ＰＡＰＲ性を保持しつつ、第２のサブキャリア変調信号のＰＡＰＲを一段と低減することが可能となる。
【０２９０】
なお、本実施の形態においては、送信装置２５００は、端末に設けられ、上りリンク送信を行う場合について説明したが、実施の形態２で説明したように、第１及び第２のサブキャリア変調信号が混在した信号を送信する送信装置を、基地局に設けた場合（つまり、第１及び第２のサブキャリア変調信号が混在した信号を下りリンクで送信する場合）にも適用可能である。この場合、図８のサブキャリアマッピング部１１０以降の構成を、本実施の形態のサブキャリアマッピング部１１０ａ、１１０ｃ以降の構成に置き換えればよい。
【０２９１】
（実施の形態１３）
図４７に、本発明の実施の形態１３に係る送信装置の構成を示す。実施の形態１で説明した送信装置１００と同様に、送信装置２６００は、端末に設けられ、上りリンク送信を行うものである。なお、本実施の形態の送信装置２６００は、実施の形態１で説明した送信装置１００と基本構成は同様である。本実施の形態の送信装置２６００は、複数のアンテナを備えている。図４７には、一例として、２つの送信アンテナを備えた構成が示されている。
【０２９２】
なお、以下では、実施の形態１と異なる構成部分のみ説明する。
【０２９３】
サブキャリアマッピング部１１０ａは、第１のサブキャリア変調部１０４の出力をサブキャリア割当制御部１２４からの制御情報に基づくサブキャリアに配置にして、ＩＦＦＴ部１１１ａへ出力する。
【０２９４】
サブキャリアマッピング部１１０ｄは、第２のサブキャリア変調部１０５の出力をサブキャリア割当制御部１２４からの制御情報に基づくサブキャリアに配置にして、サブキャリアマッピング制御部２６０１に出力する。
【０２９５】
図４８に、サブキャリア割当制御部１２４、サブキャリアマッピング部１１０ａ、１１０ｄ及びサブキャリアマッピング制御部２６０１による、サブキャリア変調信号のマッピングの仕方の一例を示す。図４８Ａは、サブキャリア割当制御部１２４における周波数領域割当結果を示す。図４８Ｂ−１は、サブキャリアマッピング制御部２６０１のマッピングパターンがＡの場合におけるＩＦＦＴ部１１１ａに入力されるサブキャリア信号を示し、図４８Ｂ−２は、サブキャリアマッピング制御部２６０１のマッピングパターンがＡの場合におけるＩＦＦＴ部１１１ｄに入力されるサブキャリア信号を示す。図４８Ｃ−１は、サブキャリアマッピング制御部２６０１のマッピングパターンがＢの場合におけるＩＦＦＴ部１１１ａに入力されるサブキャリア信号を示し、図４８Ｃ−２は、サブキャリアマッピング制御部２６０１のマッピングパターンがＢの場合におけるＩＦＦＴ部１１１ｄに入力されるサブキャリア信号を示す。
【０２９６】
図４８Ａに示すように、サブキャリア割当制御部１２４は、第１のサブキャリア変調信号を割り当てるサブキャリア及び第２のサブキャリア変調信号を割り当てるサブキャリアを決定する。
【０２９７】
サブキャリアマッピング制御部２６０１は、サブキャリアマッピング部１１０ｄの出力を、異なる複数の所定の規則のうち１つの規則を選定して、それを基に第２のサブキャリア変調信号を分配して、ＩＦＦＴ部１１１ａ及びＩＦＦＴ部１１１ｄに出力する。
【０２９８】
図４８Ｂ（サブキャリアマッピングパターンＡ）と図４８Ｃ（サブキャリアマッピングパターンＢ）は、サブキャリアマッピング制御部２６０１で用いられる異なる分配規則の一例を示したものである。ここで、所定の規則として、入力されるサブキャリア信号を特定の比率で分配して出力する規則を用いればよい。あるいは、所定の規則として、特定のサブキャリア数を基に分配して出力する規則を用いてもよい。
【０２９９】
ＩＦＦＴ部１１１ａには、サブキャリアマッピング部１１０ａからの第１のサブキャリア変調信号のデータ信号に加えて、サブキャリアマッピング制御部２６０１からの第２のサブキャリア変調信号のデータ信号と、制御信号生成部１１２からの制御信号と、パイロット信号生成部１１３からのパイロット信号と、が入力される。ＩＦＦＴ部１１１ａは、入力されたこれらの信号に対してＮｓ個のサイズのＩＦＦＴ処理を行う。
【０３００】
ここで、受信側でチャネル推定のために用いるパイロット信号は、第１のサブキャリア変調信号がマッピングされるサブキャリアの一部あるいは全部と、サブキャリアマッピング制御部２６０１からの第２のサブキャリア変調信号がマッピングされるサブキャリアの一部あるいは全部と、に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３０１】
一方、ＩＦＦＴ部１１１ｄには、サブキャリアマッピング制御部２６０１からの第２のサブキャリア変調信号のデータ信号に加えて、制御信号生成部１１２からの制御信号と、パイロット信号生成部１１３からのパイロット信号と、が入力される。ＩＦＦＴ部１１１ｄは、入力されたこれらの信号に対してＮｓ個のサイズのＩＦＦＴ処理を行う。
【０３０２】
ここで、受信側でチャネル推定のために用いるパイロット信号は、第２のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３０３】
ＰＡＰＲ測定部２６０２は、ＩＦＦＴ部１１１ａの出力信号と、ＩＦＦＴ部１１１ｄの出力信号とを基に、各出力信号のＰＡＰＲを測定する。
【０３０４】
ここで、測定されたＰＡＰＲが所定値以上の場合、サブキャリアマッピング制御部２６０１は、以下に示すような、サブキャリアマッピングパターン（サブキャリアを分配する規則）を変更する処理を行う。
【０３０５】
サブキャリアマッピングパターン変更処理：  ＰＡＰＲ測定部２６０２のＰＡＰＲ測定結果が所定値以上の場合、サブキャリアマッピング制御部２６０１は、サブキャリアマッピングパターンを変更する。サブキャリアマッピング制御部２６０１は、例えば、図４８Ｂ−１及び図４８Ｂ−２に示すようなサブキャリアマッピングパターンＡに代えて、図４８Ｃ−１及び図４８Ｃ−２に示すようなサブキャリアマッピングパターンＡと異なるサブキャリアマッピングパターンＢに変更することで、ＩＦＦＴ部１１１ａに入力するサブキャリア信号及びＩＦＦＴ部１１１ｄに入力するサブキャリア信号のマッピングパターンを変更する。
【０３０６】
ＰＡＰＲ測定部２６０２は、サブキャリアマッピングパターンを変更処理後の、ＩＦＦＴ部１１１ａの出力信号と、ＩＦＦＴ部１１１ｄの出力信号とを基に、各出力信号のＰＡＰＲを再度測定する。測定されたＰＡＰＲが所定値以上である場合、サブキャリアマッピング制御部２６０１は、再度、サブキャリアマッピングパターンを変更する。これに対して、測定されたＰＡＰＲが所定値以下の場合、サブキャリアマッピング制御部２６０１は、サブキャリアマッピングパターンを変更しない。
【０３０７】
なお、以上の処理を繰り返した結果、すべてのサブキャリアマッピングパターンで測定されたＰＡＰＲが所定値以下とならない場合は、サブキャリアマッピング制御部２６０１は、すべてのサブキャリアマッピングパターンの中でＰＡＰＲが尤も低いものを選定する。
【０３０８】
ＣＰ付加部１１４ａは、ＩＦＦＴ部１１１ａの出力信号にＣＰ（サイクリックプレフィクス：Cyclic Prefix）を付加する。送信ＲＦ部１１５ａは、ＣＰ付加部１１４ａから出力された信号に対して、アップコンバートや送信電力制御等の所定の無線送信処理を施し、処理後の信号をアンテナ１１６ａに送出する。
【０３０９】
ＣＰ付加部１１４ｄは、ＩＦＦＴ部１１１ｄの出力信号にＣＰ（サイクリックプレフィクス：Cyclic Prefix）を付加する。送信ＲＦ部１１５ｄは、ＣＰ付加部１１４ｄから出力された信号に対して、アップコンバートや送信電力制御等の所定の無線送信処理を施し、処理後の信号をアンテナ１１６ｄに送出する。
【０３１０】
なお、制御信号生成部１１２からの制御信号は、ＩＦＦＴ部１１１ａ、あるいは、ＩＦＦＴ部１１１ｄのどちらか一方を用いて送信してもよい。
【０３１１】
以上の構成により、送信装置２６００は、複数のアンテナを用いて、異なる周波数サブキャリアにマッピングされているサブキャリア信号を送信することが可能となる。また、送信装置２６００は、第１のサブキャリア変調信号に割り当てられたサブキャリア変調信号を、１つのアンテナから送信し、かつ、第２のサブキャリア変調信号に割り当てられたサブキャリア変調信号を、分配して異なるアンテナから送信する。これにより、ＩＦＦＴ部の出力信号で規定されるＰＡＰＲは、入力されるサブキャリア数が少なくなることで低減する性質をもつため、第１のサブキャリア変調信号の低ＰＡＰＲ性を保持しつつ、第２のサブキャリア変調信号のＰＡＰＲを一段と低減することが可能となる。
【０３１２】
さらに、送信装置２６００は、第２のサブキャリア変調信号を、異なるアンテナに分配する際にＰＡＰＲが所定値より小さくなるサブキャリアマッピングパターンを用いる。これにより、ＰＡＰＲが低くなるサブキャリア信号の組合せを選択することができる。この結果、本実施の形態の送信装置２６００は、実施の形態１２によりも、ＰＡＰＲを一段と低減することが可能となる。
【０３１３】
なお、本実施の形態においては、送信装置２６００は、端末に設けられ、上りリンク送信を行う場合について説明したが、実施の形態２で説明したように、第１及び第２のサブキャリア変調信号が混在した信号を送信する送信装置を、基地局に設けた場合（つまり、第１及び第２のサブキャリア変調信号が混在した信号を下りリンクで送信する場合）にも適用可能である。この場合、図８のサブキャリアマッピング部１１０以降の構成を、本実施の形態のサブキャリアマッピング部１１０ａ、１１０ｄ以降の構成に置き換えればよい。
【０３１４】
（実施の形態１４）
図４９に、本発明の実施の形態１４に係る送信装置の構成を示す。送信装置２７００は、実施の形態２で説明した送信装置５００と同様に、基地局に設けられ、第１及び第２のサブキャリア変調信号が混在した信号を下りリンクで送信する。なお、本実施の形態の送信装置２７００は、実施の形態２で説明した送信装置５００と基本構成は同様である。本実施の形態の送信装置２７００は、複数のアンテナを備えている。図４９には、一例として、２つの送信アンテナを備えた構成が示されている。
【０３１５】
図８との対応部分に同一符号を付して示す図４９に、本実施の形態の送信装置２７００の構成を示す。
【０３１６】
なお、以下では、実施の形態２と異なる構成部分のみ説明する。
【０３１７】
サブキャリアマッピング部１１０ａは、第１のサブキャリア変調部１０４の出力をサブキャリア割当制御部５０１からの制御情報に基づくサブキャリアに配置にして、ＩＦＦＴ部１１１ａへ出力する。
【０３１８】
サブキャリアマッピング部１１０ｂは、第２のサブキャリア変調部１０５の出力をサブキャリア割当制御部５０１からの制御情報に基づくサブキャリアに配置にして、ＩＦＦＴ部１１１ｂへ出力する。
【０３１９】
図４３に、サブキャリア割当制御部５０１及びサブキャリアマッピング部１１０ａ、１１０ｂによる、サブキャリア変調信号のマッピングの仕方の一例を示す。
【０３２０】
図４３Ａに示すように、サブキャリア割当制御部５０１は、第１のサブキャリア変調信号を割り当てるサブキャリア及び第２のサブキャリア変調信号を割り当てるサブキャリアを決定する。
【０３２１】
図４３Ｂに示すように、サブキャリアマッピング部１１０ａは、サブキャリア割当制御部５０１による第１のサブキャリア変調信号のサブキャリア割当情報を基に、第１のサブキャリア変調信号をサブキャリアにマッピングする。同様に、図４３Ｃに示すように、サブキャリアマッピング部１１０ｂは、サブキャリア割当制御部５０１による第２のサブキャリア変調信号のサブキャリア割当情報を基に、第２のサブキャリア変調信号をサブキャリアにマッピングする。
【０３２２】
ＩＦＦＴ部１１１ａには、サブキャリアマッピング部１１０ａからの第１のサブキャリア変調信号のデータ信号に加えて、制御信号生成部５０２からの制御信号と、パイロット信号生成部１１３からのパイロット信号と、が入力される。ＩＦＦＴ部１１１ａは、入力されたこれらの信号に対してＮｓ個のサイズのＩＦＦＴ処理を行う。
【０３２３】
ここで、受信側でチャネル推定のために用いるパイロット信号は、第１のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３２４】
ＣＰ付加部１１４ａは、ＩＦＦＴ部１１１ａの出力信号にＣＰ（サイクリックプレフィクス：Cyclic Prefix）を付加する。送信ＲＦ部１１５ａは、ＣＰ付加部１１４ａから出力された信号に対して、アップコンバートや送信電力制御等の所定の無線送信処理を施し、処理後の信号をアンテナ１１６ａに送出する。
【０３２５】
一方、ＩＦＦＴ部１１１ｂには、サブキャリアマッピング部１１０ｂからの第２のサブキャリア変調信号のデータ信号に加えて、制御信号生成部５０２からの制御信号と、パイロット信号生成部１１３からのパイロット信号と、が入力される。ＩＦＦＴ部１１１ｂは、入力されたこれらの信号に対してＮｓ個のサイズのＩＦＦＴ処理を行う。
【０３２６】
ここで、受信側でチャネル推定のために用いるパイロット信号は、第２のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３２７】
ＣＰ付加部１１４ｂは、ＩＦＦＴ部１１１ｂの出力信号にＣＰ（サイクリックプレフィクス：Cyclic Prefix）を付加する。送信ＲＦ部１１５ｂは、ＣＰ付加部１１４ｂから出力された信号に対して、アップコンバートや送信電力制御等の所定の無線送信処理を施し、処理後の信号をアンテナ１１６ｂに送出する。
【０３２８】
以上の構成により、送信装置２７００は、複数のアンテナ毎に異なるサブキャリア変調信号を送信することが可能となる。これにより、実施の形態２の送信装置５００と比較して、ＩＦＦＴ部１１１ａ、１１１ｂのそれぞれに入力されるサブキャリア数を低減することができる。これにより、ＩＦＦＴ部の出力信号で規定されるＰＡＰＲは、入力されるサブキャリア数が少なくなることで低減する性質をもつため、本実施の形態の構成によりＰＡＰＲの低減が可能となる。
【０３２９】
なお、制御信号生成部１１２からの制御信号は、ＩＦＦＴ部１１１ａ、あるいは、ＩＦＦＴ部１１１ｂのどちらか一方を用いて送信してもよい。
【０３３０】
また、図４９では、一例として、送信装置２７００に１つの符号化部１０１を設けた場合を示したが、複数の符号化部を設け、例えば第１のサブキャリア変調信号と、第２のサブキャリア変調信号を別の符号化部によって符号化するようにしてもよい。これは、後述する他の実施の形態においても同様である。
【０３３１】
また、本実施の形態においては、実施の形態２で説明した受信装置６００（図９）と同様な構成で受信の処理を行うことができる。
【０３３２】
（実施の形態１５）
図１９との対応部分に同一符号を付して示す図５０に、本実施の形態の送信装置の構成を示す。送信装置２８００は、実施の形態５の送信装置１３００（図１９）と同様に、送信電力制御情報抽出部１３０１を有する。送信電力制御情報抽出部１３０１は、受信機から通知される送信電力制御情報を抽出し、これを送信ＲＦ部１１５ａ、１１５ｂに加えて、サブキャリア割当制御部１３０２に送出する。
【０３３３】
なお、本実施の形態の送信装置２８００は、実施の形態５で説明した送信装置１３００と基本構成は同様である。本実施の形態の送信装置２８００は、複数のアンテナを備えている。図５０には、一例として、２つの送信アンテナを備えた構成が示されている。
【０３３４】
なお、以下では、実施の形態５と異なる構成部分のみ説明する。
【０３３５】
サブキャリア割当制御部１３０２は、送信電力制御情報を基に、サブキャリア割当における第１及び第２のサブキャリア変調信号の比率を可変制御する。具体的には、図２１に示すように、送信電力が最大送信電力から小さくなるにつれて、第２のサブキャリア変調信号の割合を多くしていく制御を行う。
【０３３６】
また、この際に、使用する変調多値数毎に、図２０に示すように、第２のサブキャリア変調信号の割合を可変したときのＰＡＰＲ特性を予め測定しておき、割合を１００［％］にしたときのＰＡＰＲの最大値Ｄmaxを基に、図２１における制御の指標とする。
【０３３７】
サブキャリアマッピング部１１０ａは、第１のサブキャリア変調部１０４の出力をサブキャリア割当制御部１３０２からの制御情報に基づくサブキャリアに配置にして、ＩＦＦＴ部１１１ａへ出力する。
【０３３８】
サブキャリアマッピング部１１０ｃは、第２のサブキャリア変調部１０５の出力をサブキャリア割当制御部１３０２からの制御情報に基づくサブキャリアに配置にして、サブキャリアマッピング制御部２８０１に出力する。
【０３３９】
図４６に、サブキャリア割当制御部１３０２、サブキャリアマッピング部１１０ａ、１１０ｃ及びサブキャリアマッピング制御部２８０１による、サブキャリア変調信号のマッピングの仕方の一例を示す。
【０３４０】
図４６Ａに示すように、サブキャリア割当制御部１３０２は、第１のサブキャリア変調信号を割り当てるサブキャリア及び第２のサブキャリア変調信号を割り当てるサブキャリアを決定する。
【０３４１】
図４６Ｂ及び図４６Ｃに示すように、サブキャリアマッピング制御部２８０１は、サブキャリアマッピング部１１０ｃの出力を所定の規則を基に分配して、ＩＦＦＴ部１１１ａ及びＩＦＦＴ部１１１ｃのそれぞれに出力する。
【０３４２】
ここで、サブキャリアマッピング制御部２８０１は、サブキャリア割当制御部１３０２の情報を基に、第２のサブキャリア変調信号のＩＦＦＴ部１１１ａ及びＩＦＦＴ部１１１ｃへの分配比率を変化させる。例えば、サブキャリアマッピング部１１０ａからＩＦＦＴ部１１１ａに入力される第１のサブキャリア変調信号の数が少ないほど、ＩＦＦＴ部１１１ａに出力する第２のサブキャリア変調信号の比率を高くする。これにより、ＩＦＦＴ部１１ａに入力されるサブキャリア変調信号の数と、ＩＦＦＴ部１１１ｃに入力されるサブキャリア変調信号の数とのうち、いずれかの一方に入力されるサブキャリア変調信号の数が他方のサブキャリア変調信号の数よりも極端に多くなることを防止できるので、ＰＡＰＲを低減することができる。
【０３４３】
ＩＦＦＴ部１１１ａには、サブキャリアマッピング部１１０ａからの第１のサブキャリア変調信号のデータ信号に加えて、サブキャリアマッピング制御部２８０１からの第２のサブキャリア変調信号のデータ信号と、制御信号生成部１１２からの制御信号と、パイロット信号生成部１１３からのパイロット信号と、が入力される。ＩＦＦＴ部１１１ａは、入力されたこれらの信号に対してＮｓ個のサイズのＩＦＦＴ処理を行う。
【０３４４】
ここで、受信側でチャネル推定のために用いるパイロット信号は、第１のサブキャリア変調信号がマッピングされるサブキャリアの一部あるいは全部と、サブキャリアマッピング制御部２８０１からの第２のサブキャリア変調信号がマッピングされるサブキャリアの一部あるいは全部と、に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３４５】
ＣＰ付加部１１４ａは、ＩＦＦＴ部１１１ａの出力信号にＣＰ（サイクリックプレフィクス：Cyclic Prefix）を付加する。送信ＲＦ部１１５ａは、ＣＰ付加部１１４ａから出力された信号に対して、アップコンバートや送信電力制御等の所定の無線送信処理を施し、処理後の信号をアンテナ１１６ａに送出する。
【０３４６】
一方、ＩＦＦＴ部１１１ｃには、サブキャリアマッピング制御部２８０１からの第２のサブキャリア変調信号のデータ信号に加えて、制御信号生成部１１２からの制御信号と、パイロット信号生成部１１３からのパイロット信号と、が入力される。ＩＦＦＴ部１１１ｃは、入力されたこれらの信号に対してＮｓ個のサイズのＩＦＦＴ処理を行う。
【０３４７】
ここで、受信側でチャネル推定のために用いるパイロット信号は、第２のサブキャリア変調信号がマッピングされるサブキャリアの一部あるいは全部に配置されて送信される。これにより、複数のアンテナを用いて送信した場合、第１あるいは第２のサブキャリア変調信号が、どのアンテナから送信されているかの情報を、制御信号などに含ませて送信することが不要となる。すなわち、受信側でパイロット信号を用いたチャネル推定を行うことにより、受信処理を適切に行うことができる。
【０３４８】
ＣＰ付加部１１４ｃは、ＩＦＦＴ部１１１ｃの出力信号にＣＰ（サイクリックプレフィクス：Cyclic Prefix）を付加する。送信ＲＦ部１１５ｃは、ＣＰ付加部１１４ｃから出力された信号に対して、アップコンバートや送信電力制御等の所定の無線送信処理を施し、処理後の信号をアンテナ１１６ｃに送出する。
【０３４９】
なお、制御信号生成部１１２からの制御信号は、ＩＦＦＴ部１１１ａ、あるいは、ＩＦＦＴ部１１１ｃのどちらか一方を用いて送信してもよい。
【０３５０】
以上の構成により、送信装置２８００は、複数のアンテナを用いて、異なる周波数サブキャリアにマッピングされているサブキャリア信号を送信することが可能となる。また、送信装置２８００は、第１のサブキャリア変調信号に割り当てられたサブキャリア変調信号を、１つのアンテナから送信し、かつ、第２のサブキャリア変調信号に割り当てられたサブキャリア変調信号を、分配して異なるアンテナから送信する。これにより、ＩＦＦＴ部の出力信号で規定されるＰＡＰＲは、入力されるサブキャリア数が少なくなることで低減する性質をもつため、第１のサブキャリア変調信号の低ＰＡＰＲ性を保持しつつ、第２のサブキャリア変調信号のＰＡＰＲを一段と低減することが可能となる。
【０３５１】
また、送信装置２８００は、送信電力に伴い、サブキャリア割当制御部１３０２により、第１のサブキャリア変調信号及び第２のサブキャリア変調信号の比率を変更する場合でも、サブキャリアマッピング制御部２８０１によって、サブキャリア割当制御部１３０２の情報を基に、ＩＦＦＴ部１１１ａに入力されるサブキャリア変調信号の数と、ＩＦＦＴ部１１１ｃに入力されるサブキャリア変調信号の数とを調整するので、ＰＡＰＲを低減することができる。
【０３５２】
なお、本実施の形態においては、送信装置２８００は、端末に設けられ、上りリンク送信を行う場合について説明したが、実施の形態２で説明したように、第１及び第２のサブキャリア変調信号が混在した信号を送信する送信装置を、基地局に設けた場合（つまり、第１及び第２のサブキャリア変調信号が混在した信号を下りリンクで送信する場合）にも適用可能である。
【０３５３】
（実施の形態１６）
実施の形態２で説明した図８との対応部分に同一符号を付して示す図５１に、本実施の形態の送信装置２９００の構成を示す。送信装置２９００は、基地局に設けられている。
【０３５４】
以下では、実施の形態２（図８）と異なる構成部分のみ説明する。
【０３５５】
送信装置２９００は、セクタ毎サブキャリア割当制御部２９０１を有する。セクタ毎サブキャリア割当制御部２９０１は、セクタ毎に、第１のサブキャリア変調信号を割り当てるか、又は、第２のサブキャリア変調信号を割り当てるかを、制御する。
【０３５６】
送信装置２９００のチャネル品質情報抽出部１２１は、受信装置（端末）から送信されたチャネル品質情報を受信信号から抽出する。チャネル品質情報は、ＭＣＳ制御部１２２及びセクタ毎サブキャリア割当制御部２９０１に出力される。
【０３５７】
セクタ毎サブキャリア割当制御部２９０１は、予め定められた割当規則に従って、セクタ毎に、第１のサブキャリア変調信号を割り当てるか、又は、第２のサブキャリア変調信号を割り当てるかを、制御する。この割当規則は、隣接するセクタ間で異なるサブキャリア変調信号を用いるといったものである。つまり、第１のセクタにおいて第１のサブキャリア変調信号が割り当てられて送信された場合には、第１のセクタに隣接する第２のセクタでは第２のサブキャリア変調信号が割り当てられて送信される。これにより、他セクタからの干渉あるいは、他セクタへの干渉を白色化することができる。
【０３５８】
これは、同一のサブキャリアを隣接するセクタ間で用いる場合において、第１のサブキャリア変調信号が割り当てられたセクタの信号に対し、第２のサブキャリア変調信号が割り当てられたセクタの信号は、以下の関係となるためである。すなわち、送信装置で送信するサブキャリア変調信号に対し、前者は第１のサブキャリア変調信号が時間領域の信号として送信されるのに対し、後者は第２のサブキャリア変調信号が周波数領域の信号として送信される。このような関係から、時間領域の信号に対し、白色化（あるいは白色化に近い信号）された周波数領域の信号が干渉を及ぼすことから、同一のサブキャリア変調信号をセクタ間で送信する場合よりも、干渉が白色化されるため、その干渉の影響を低減することができる。この結果、セクタ間の与干渉及び被干渉を低減することができる。
【０３５９】
また、セクタ毎サブキャリア割当制御部２９０１は、チャネル品質情報を基に、送信装置２９００が送信帯域中のどのサブキャリアを用いて送信するかを決定する。加えて、セクタ毎サブキャリア割当制御部２９０１は、第１のサブキャリア変調信号あるいは第２のサブキャリア変調信号のどちらを用いるかの選択結果を、パーサ部１０３及びサブキャリアマッピング部１１０に出力する。
【０３６０】
制御信号生成部５０２は、受信装置に通知するためのサブキャリア割当情報とサブキャリアに割り当てたＭＣＳの情報（ＭＣＳ情報）とを含む制御信号を生成する。
【０３６１】
図３との対応部分に同一符号を付して示す図５２に、本実施の形態の受信装置の構成を示す。受信装置３０００は、端末に設けられている。
【０３６２】
周波数リソース割当情報抽出部３００１は、送信装置２９００により送信された制御信号に含まれる周波数リソース割当情報を抽出する。周波数リソース割当情報は、どのサブキャリアに、第１又は第２のどちらのサブキャリアの変調信号がマッピングされているかを示す情報を含む。
【０３６３】
周波数リソース割当情報抽出部３００１は、抽出した周波数リソース割当情報を、サブキャリアデマッピング部２０８、ＩＤＦＴ部２１２、Ｐ／Ｓ部２１５及びデパーサ部２１８に送出する。
【０３６４】
本実施の形態によれば、実施の形態１と同様の効果を得ることができる。また、隣接するセクタ間で、異なるサブキャリア変調信号を用いることで、他セクタからの干渉あるいは、他セクタへの干渉を白色化することができる。この結果、セクタ間の与干渉及び被干渉を低減することができる。
【０３６５】
なお、本実施の形態においては、送信装置２９００は、基地局装置に設けられ、下りリンク送信を行う場合について説明したが、実施の形態１で説明したように、第１及び第２のサブキャリア変調信号のどちらか一方の変調信号を送信する送信装置を、端末装置に設けた場合（つまり、下りリンクで送信する場合）にも適用可能である。この場合、各端末のセクタ毎サブキャリア割当制御部２９０１が、自端末がどのセクタに属するかに応じて、第１のサブキャリア変調信号を用いるか、又は、第２のサブキャリア変調信号を用いるかを決定すればよい。このようにすれば、送信装置２９００を基地局に設けた場合でも同様に、セクタ間の干渉を低減することができる。
【産業上の利用可能性】
【０３６６】
本発明の無線受信装置は、階層化変調技術に工夫を加えて、高伝送レート時の誤り率特性の確保と、セルカバレッジの拡大といった要求に、柔軟に対応できるようにしたものであり、例えば携帯電話機やその基地局等の無線通信機器に広く適用可能である。
【符号の説明】
【０３６７】
１００、３００、５００、７００、８００、１０００、１３００、１４００、１６００、１８００、２０００、２１００、２２００、２３００、２４００、２５００、２６００、２７００、２８００、２９００  送信装置
１０１、１８０１  符号化部
１０２  １８０４−１、１８０４−２  インターリーバ
１０３、２１０１  パーサ部
１０４  第１のサブキャリア変調部
１０５  第２のサブキャリア変調部
１０６、１０８  キャリア変調部
１０７  ＤＦＴ部
１０９  シリアルパラレル変換（Ｓ／Ｐ）部
１１０  サブキャリアマッピング部
１１１  ＩＦＦＴ部
１２４、５０１、１３０２、１２４−１、１２４−２、２２０２  サブキャリア割当制御部
２００、４００、６００、１１００、１２００、１５００、１７００、１９００、３０００  受信装置
２０５、２０５−１、２０５−２  等化部
２０８  サブキャリアデマッピング部
２１２  ＩＤＦＴ部
２１４  第１の尤度重み付け部
２１５  パラレルシリアル変換（Ｐ／Ｓ）部
２１７  第２の尤度重み付け部
２１８、１９０２  デパーサ部
２１９、１９０１−１、１９０１−２  デインターリーバ
６０１、３００１  周波数リソース割当情報抽出部
７０１、８０１  帯域制限フィルタ
１００１−１〜１００１−ｎ、２０００Ａ−１〜２０００Ａ−ｎ、２１００Ｂ−１〜２１００Ｂ−ｎ  送信ユニット
１１０２  線形分離等化部
１１０３  非線形分離部
１２０１  第１の分離等化部
１２０２  第２の分離等化部
１３０１  送信電力制御情報抽出部
１４０１  再送制御情報抽出部
１４０２、２５０２  パケット生成部
１４１１  使用サブキャリア数計算部
１４１２  サブキャリア割当パターン選択部
１４１３  使用周波数ブロック情報抽出部
１４１４  サブキャリア割当情報生成部
１４２１  データ入出力制御部
１５０、１９１０  パケット合成部
１５０２  受信バッファ部
１５０３  誤り検出部
１５０４  受信データ出力部
１５０５  再送制御情報生成部
１８０２  パンクチャ部
１９１１  デパンクチャ部
１９１２  再送制御情報記憶部
１９１３  尤度重み付け部Ａ
１９１４  尤度重み付け部Ｂ
１９１５  尤度合成部
１９１６  尤度重み付け決定部
２２０１  送信電力制御部
２５０１、２６０１、２８０１  サブキャリアマッピング制御部
２６０２  ＰＡＰＲ測定部
２９０１  セクタ毎サブキャリア割当制御部
【図１】
0005443558.tif 000002
【図２】
0005443558.tif 000003
【図３】
0005443558.tif 000004
【図４】
0005443558.tif 000005
【図５】
0005443558.tif 000006
【図６】
0005443558.tif 000007
【図７】
0005443558.tif 000008
【図８】
0005443558.tif 000009
【図９】
0005443558.tif 000010
【図１０】
0005443558.tif 000011
【図１１】
0005443558.tif 000012
【図１２】
0005443558.tif 000013
【図１３】
0005443558.tif 000014
【図１４】
0005443558.tif 000015
【図１５】
0005443558.tif 000016
【図１６】
0005443558.tif 000017
【図１７】
0005443558.tif 000018
【図１８】
0005443558.tif 000019
【図１９】
0005443558.tif 000020
【図２０】
0005443558.tif 000021
【図２１】
0005443558.tif 000022
【図２２】
0005443558.tif 000023
【図２３】
0005443558.tif 000024
【図２４】
0005443558.tif 000025
【図２５】
0005443558.tif 000026
【図２６】
0005443558.tif 000027
【図２７】
0005443558.tif 000028
【図２８】
0005443558.tif 000029
【図２９】
0005443558.tif 000030
【図３０】
0005443558.tif 000031
【図３１】
0005443558.tif 000032
【図３２】
0005443558.tif 000033
【図３３】
0005443558.tif 000034
【図３４Ａ】
0005443558.tif 000035
【図３４Ｂ】
0005443558.tif 000036
【図３５】
0005443558.tif 000037
【図３６】
0005443558.tif 000038
【図３７】
0005443558.tif 000039
【図３８】
0005443558.tif 000040
【図３９】
0005443558.tif 000041
【図４０】
0005443558.tif 000042
【図４１】
0005443558.tif 000043
【図４２】
0005443558.tif 000044
【図４３】
0005443558.tif 000045
【図４４】
0005443558.tif 000046
【図４５】
0005443558.tif 000047
【図４６】
0005443558.tif 000048
【図４７】
0005443558.tif 000049
【図４８】
0005443558.tif 000050
【図４９】
0005443558.tif 000051
【図５０】
0005443558.tif 000052
【図５１】
0005443558.tif 000053
【図５２】
0005443558.tif 000054
【図５３】
0005443558.tif 000055
【図５４】
0005443558.tif 000056